(57)【要約】  実施例は、ホルダーと、該ホルダーの上部に配置される第１レンズ部と、前記ホルダーの下部に配置される第２レンズ部と、前記ホルダーと結合し、前記第１レンズ部と第２レンズ部との間に配置される液体レンズと、該液体レンズと電気的に連結される基板と、前記液体レンズの光軸方向上に配置されて前記基板に実装されるイメージセンサーとを備え、光軸上で前記第１レンズ部の後面から前記第２レンズ部の前面までの距離は、前記液体レンズ厚さの１．８倍〜２．１倍である、カメラモジュールを提供する。【選択図】  図３
2019532331.tif 000002
【特許請求の範囲】
【請求項１】
ホルダーと、
前記ホルダーの上部に配置される第１レンズ部と、
前記ホルダーの下部に配置される第２レンズ部と、
前記ホルダーと結合し、前記第１レンズ部と第２レンズ部との間に配置される液体レンズと、
前記液体レンズと電気的に連結される基板と、
前記液体レンズの光軸方向上に配置されて前記基板に実装されるイメージセンサーと
を備え、
光軸上で前記第１レンズ部の後面から前記第２レンズ部の前面までの距離は、前記液体レンズ厚さの１．８倍〜２．１倍であるカメラモジュール。
【請求項２】
前記液体レンズは導電性液体及び非導電性液体を含み、前記キャビティは、前記第１レンズ部方向の第１開口部及び前記第２レンズ部方向の第２開口部を有し、前記第１開口部の大きさは前記第２開口部の大きさより小さい、請求項１に記載のカメラモジュール。
【請求項３】
Ｏ２／Ｏ１は１．１より大きく１．６より小さく、Ｏ１は前記第１レンズ部の大きさであり、前記Ｏ２は前記第２開口部の大きさである、請求項２に記載のカメラモジュール。
【請求項４】
前記第１レンズ部は物体側から像側に順に配置された第１レンズ及び第２レンズを有し、前記第１レンズは正の屈折力を有し、前記第２レンズは負の屈折力を有する、請求項１に記載のカメラモジュール。
【請求項５】
前記第１レンズ部は物体側から像側に順に配置された第１レンズ及び第２レンズを有し、０．７５＜ｆ１／Ｆ＜１．１であり、ｆ１は第１レンズの有効焦点距離であり、Ｆは光学系の有効焦点距離である、請求項１に記載のカメラモジュール。
【請求項６】
前記第１レンズ部は物体側から像側に順に配置された第１レンズ及び第２レンズを有し、０．７＜ＴＴＬ／Ｆ＜０．９であり、ＴＴＬは第１レンズの物体側方向の第１面から像（ｉｍａｇｅ）までの距離である、請求項１に記載のカメラモジュール。
【請求項７】
前記第２レンズ部は物体側から像側に順に配置された第４レンズ、第５レンズ及び第６レンズを有し、前記第４レンズは、前記物体側方向の第１面が前記物体側方向に膨らんでいる、請求項１に記載のカメラモジュール。
【請求項８】
前記第２レンズ部は物体側から像側に順に配置された第４レンズ、第５レンズ及び第６レンズを有し、前記第５レンズは正の屈折力を有し、前記第６レンズは負の屈折力を有する、請求項１に記載のカメラモジュール。
【請求項９】
前記第２レンズ部は物体側から像側に順に配置された第４レンズ、第５レンズ及び第６レンズを有し、Ｎ４ｄ＜１．６であり、Ｎ４ｄは前記第４レンズのｄ−ラインでの屈折率である、請求項１に記載のカメラモジュール。
【請求項１０】
前記第２レンズ部は物体側から像側に順に配置された第４レンズ、第５レンズ及び第６レンズを有し、２０＜ｖ４ｄ＜３０であり、ｖ４ｄは前記第４レンズのｄ−ラインでのアッべ数である、請求項１に記載のカメラモジュール。
【発明の詳細な説明】
【技術分野】
【０００１】
実施例は、カメラモジュール及びこれを備える光学機器に関し、特に、液体レンズを有するカメラモジュール及びこれを備える光学機器に関する。
【背景技術】
【０００２】
携帯用装置のユーザは、高解像度、小型であるとともに、様々な撮影機能、例えばオートフォーカシング（Ａｕｔｏ−Ｆｏｃｕｓｉｎｇ；ＡＦ）機能や、手ぶれ補正又は映像乱れ防止（Ｏｐｔｉｃａｌ  Ｉｍａｇｅ  Ｓｔａｂｉｌｉｚｅｒ；ＯＩＳ）機能を有する光学機器を望んでいる。このような撮影機能は、複数のレンズを組み合わせて直接にレンズを動かす方法で具現することができるが、レンズの数を増やす場合、光学機器の大きさが増加することがある。
【０００３】
オートフォーカスと手ぶれ補正機能は、レンズホルダーに固定されて光軸が整列された複数のレンズモジュールが、光軸又は光軸の垂直方向に移動したりチルティング（Ｔｉｌｔｉｎｇ）して行われ、レンズモジュールを駆動させるために別のレンズ駆動装置が使われる。しかし、レンズ駆動装置は電力消耗が高く、レンズモジュール駆動のためにマグネットとコイルなどの駆動部材が必要であり、レンズモジュールの駆動範囲に対応してレンズモジュールの駆動のための余裕空間も必要なため、カメラモジュール及び光学機器の全体厚さが増加する。
【０００４】
したがって、２種の液体の界面の曲率を電気的に調節してオートフォーカスと手ぶれ補正機能を行う液体レンズが研究されている。
【発明の概要】
【発明が解決しようとする課題】
【０００５】
実施例は、液体レンズを用いてＡＦ又はＯＩＳを行うことができるカメラモジュール及び光学機器を提供しようとする。
【課題を解決するための手段】
【０００６】
実施例は、ホルダーと、該ホルダーの上部に配置される第１レンズ部と、前記ホルダーの下部に配置される第２レンズ部と、前記ホルダーと結合し、前記第１レンズ部と第２レンズ部との間に配置される液体レンズと、該液体レンズと電気的に連結される基板と、前記液体レンズの光軸方向上に配置されて前記基板に実装されるイメージセンサーとを備え、光軸上で前記第１レンズ部の後面から前記第２レンズ部の前面までの距離は、前記液体レンズ厚さの１．８倍〜２．１倍である、カメラモジュールを提供する。
【０００７】
液体レンズは導電性液体及び非導電性液体を含み、前記キャビティは、前記第１レンズ部方向の第１開口部及び前記第２レンズ部方向の第２開口部を有し、前記第１開口部の大きさは前記第２開口部の大きさより小さくてよい。
【０００８】
Ｏ２／Ｏ１は１．１より大きく１．６より小さく、Ｏ１は前記第１レンズ部の大きさであり、前記Ｏ２は前記第２開口部の大きさであってよい。
【０００９】
第１レンズ部は物体側から像側に順に配置された第１レンズ及び第２レンズを有し、前記第１レンズは正の屈折力を有し、前記第２レンズは負の屈折力を有することができる。
【００１０】
第１レンズ部は物体側から像側に順に配置された第１レンズ及び第２レンズを有し、０．７５＜ｆ１／Ｆ＜１．１であり、ｆ１は第１レンズの有効焦点距離であり、Ｆは光学系の有効焦点距離であってよい。
【００１１】
第１レンズ部は物体側から像側に順に配置された第１レンズ及び第２レンズを有し、０．７＜ＴＴＬ／Ｆ＜０．９であり、ＴＴＬは第１レンズの物体側方向の第１面から像（ｉｍａｇｅ）までの距離であってよい。
【００１２】
第２レンズ部は物体側から像側に順に配置された第４レンズ、第５レンズ及び第６レンズを有し、前記第４レンズは前記物体側方向の第１面が前記物体側方向に膨らんでいてもよい。
【００１３】
第２レンズ部は物体側から像側に順に配置された第４レンズ、第５レンズ及び第６レンズを有し、前記第５レンズは正の屈折力を有し、前記第６レンズは負の屈折力を有することができる。
【００１４】
第２レンズ部は物体側から像側に順に配置された第４レンズ、第５レンズ及び第６レンズを有し、Ｎ４ｄ＜１．６であり、Ｎ４ｄは前記第４レンズのｄ−ラインでの屈折率であってよい。
【００１５】
第２レンズ部は物体側から像側に順に配置された第４レンズ、第５レンズ及び第６レンズを有し、２０＜ｖ４ｄ＜３０であり、ｖ４ｄは前記第４レンズのｄ−ラインでのアッべ数であってよい。
【発明の効果】
【００１６】
実施例に係る液体レンズを有するレンズアセンブリは、第１レンズの前面から第６レンズの後面までの距離が固定され、内部の液体レンズの焦点距離とジオプターなどが可変なので、レンズアセンブリ内のレンズを移動させなくてもＡＦ又はＯＩＳを遂げることができる。
【図面の簡単な説明】
【００１７】
【図１】電気湿潤現象を示す概念図である。
【図２】第１実施例のカメラモジュールを示す斜視図である。
【図３】第１実施例のカメラモジュールを示す分解斜視図である。
【図４】第１実施例のシールド缶を示す斜視図である。
【図５】第１実施例のレンズホルダーを示す斜視図である。
【図６】第１実施例のレンズホルダーを示す断面図である。
【図７】第１実施例の液体レンズを示す分解斜視図である。
【図８】第１実施例の液体レンズを示す平面図である。
【図９Ａ】第１実施例において導電性液体及び非導電性液体がキャビティに収容された様々な形状を示す概念断面図である。
【図９Ｂ】第１実施例において導電性液体及び非導電性液体がキャビティに収容された様々な形状を示す概念断面図である。
【図９Ｃ】第１実施例において導電性液体及び非導電性液体がキャビティに収容された様々な形状を示す概念断面図である。
【図９Ｄ】第１実施例において導電性液体及び非導電性液体がキャビティに収容された様々な形状を示す概念断面図である。
【図９Ｅ】第１実施例において導電性液体及び非導電性液体がキャビティに収容された様々な形状を示す概念断面図である。
【図９Ｆ】第１実施例において導電性液体及び非導電性液体がキャビティに収容された様々な形状を示す概念断面図である。
【図９Ｇ】第１実施例において導電性液体及び非導電性液体がキャビティに収容された様々な形状を示す概念断面図である。
【図９Ｈ】第１実施例において導電性液体及び非導電性液体がキャビティに収容された様々な形状を示す概念断面図である。
【図９Ｉ】第１実施例において導電性液体及び非導電性液体がキャビティに収容された様々な形状を示す概念断面図である。
【図９Ｊ】第１実施例において導電性液体及び非導電性液体がキャビティに収容された様々な形状を示す概念断面図である。
【図９Ｋ】第１実施例において導電性液体及び非導電性液体がキャビティに収容された様々な形状を示す概念断面図である。
【図９Ｌ】第１実施例において導電性液体及び非導電性液体がキャビティに収容された様々な形状を示す概念断面図である。
【図１０】第１実施例のカメラモジュールを示す断面図である。
【図１１Ａ】第１及び第２液体のアッベ数によるスポット（Ｓｐｏｔ）イメージである。
【図１１Ｂ】第１及び第２液体のアッベ数によるスポット（Ｓｐｏｔ）イメージである。
【図１１Ｃ】第１及び第２液体のアッベ数によるスポット（Ｓｐｏｔ）イメージである。
【図１２】液体レンズ及び固体レンズを有するレンズアセンブリの第２実施例を説明する。
【図１３】図１２の液体レンズモジュールを説明する。
【図１４】図１２において液体レンズ及び固体レンズを収容するホルダーの第１例を説明する。
【図１５】図１２において液体レンズ及び固体レンズを収容するホルダーの第２例を説明する。
【図１６】図１２のホルダーの構造を説明する。
【図１７】図１２においてホルダーと液体レンズモジュールとの結合を説明する。
【図１８】（ａ）〜（ｄ）は、図１２においてホルダーに配置されるオープニングの例を説明する。
【図１９】カメラモジュールの第２実施例を説明する。
【図２０】カメラモジュールの第３実施例を示す図である。
【図２１】図２０の液体レンズモジュールを説明する。
【図２２】図２０のスぺーサを説明する。
【図２３】図２０の第１基板を説明する。
【図２４】図２０の第２基板の一例を説明する。
【図２５】図２０の液体レンズを説明する。
【図２６】図２０の第１プレートを説明する。
【図２７】図２０の第３プレートを説明する。
【図２８】図２０の第２基板の他の例を説明する。
【図２９】カメラモジュールの第４実施例を示す図である。
【図３０Ａ】図２９のカメラモジュールの液体レンズを示す図である。
【図３０Ｂ】図２９のカメラモジュールの液体レンズを示す図である。
【図３１】図２９のカメラモジュール内のレンズアセンブリの配置を示す図である。
【図３２】図２９のカメラモジュールの焦点距離と物体との距離との関係を示す図である。
【図３３】図２９のカメラモジュール内の液体レンズの焦点距離とジオプターとの関係を示す図である。
【図３４】５つの比較例において中心フィールド（０．０Ｆ）と周辺フィールド（０．８Ｆ）でのＭＴＦを示す図である。
【図３５】比較例２において受光素子に結ばれる像（ｉｍａｇｅ）を示す図である。
【図３６】カメラモジュールの第５実施例において受光素子に結ばれる像を示す図である。
【図３７】５つの比較例と第５実施例において中心フィールド（０．０Ｆ）と周辺フィールド（＋０．８Ｆ，−０．８Ｆ）でのＭＴＦを示す図である。
【発明を実施するための形態】
【００１８】
以下、本発明を具体的に説明するために実施例を挙げて説明し、発明に関する理解を助けるために添付図面を参照して詳しく説明する。しかし、本発明に係る実施例は様々な他の形態に変形されてもよく、本発明の範囲が以下に詳述する実施例に限定されるものとして解釈されてはならない。本発明の実施例は、当業界における通常の知識を有する者に、本発明をより完全に説明するために提供されるものである。
【００１９】
本発明に係る実施例の説明において、各エレメント「上（の上）」（ｏｎ）又は「下（の下）」（ｕｎｄｅｒ）に形成されると記載される場合、一つのエレメント上（の上）又は下（の下）に他のエレメントが直接に（ｄｉｒｅｃｔｌｙ）接触して形成される場合も、これら両エレメントの間に更に他のエレメントが配置されて（ｉｎｄｉｒｅｃｔｌｙ）形成される場合も含む。また、「上（の上）」又は「下（の下）」と表現される場合、一つのエレメントを基準に上側方向を指すことも下側方向を指すこともできる。
【００２０】
また、以下でいう「第１」及び「第２」、「上部」及び「下部」などの関係的用語は、かかる実体又は要素の間のいかなる物理的又は論理的な関係又は順序を必ずしも要求又は内包するものでなく、ある実体又は要素を他の実体又は要素と区別するために使用することができる。
【００２１】
以下でいう「光軸方向」は、カメラモジュールにおけるレンズモジュールの光軸方向と定義する。一方、「光軸方向」は上下方向、ｚ軸方向などと同じ意味で使われ得る。
【００２２】
以下でいう「オートフォーカス機能」は、液体レンズの界面の曲率を変化させて被写体に対する焦点を合わせる機能と定義する。一方、「オートフォーカス」は「ＡＦ（Ａｕｔｏ  Ｆｏｃｕｓ）」に言い換えてもよい。
【００２３】
以下でいう「手ぶれ補正機能」は、外力によってイメージセンサーに発生する震動を打ち消すように液体レンズの界面の曲率を変化させる機能と定義する。一方、「手ぶれ補正」は「ＯＩＳ（Ｏｐｔｉｃａｌ  Ｉｍａｇｅ  Ｓｔａｂｉｌｉｚａｔｉｏｎ）」と同じ意味で使われ得る。
【００２４】
以下、本実施例に係る光学機器を説明する。
【００２５】
光学機器は、携帯電話、モバイルフォン、スマートフォン（ｓｍａｒｔ  ｐｈｏｎｅ）、携帯用スマート機器、デジタルカメラ、ノートパソコン（ｌａｐｔｏｐ  ｃｏｍｐｕｔｅｒ）、デジタル放送用端末機、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーションなどでよい。ただし、それに制限されず、映像又は写真を撮影するためのいかなる装置も可能である。
【００２６】
光学機器は本体（図示せず）、ディスプレイ部（図示せず）、カメラモジュール１０００を備えることができる。
【００２７】
本体は光学機器の外観を形成することができる。本体は一例として直方体の形状を有することができる。ただし、これに制限されるものではない。変形例として本体は、少なくとも一部を丸くした形状を有してもよい。本体はカメラモジュール１０００，２０００を収容することができる。本体の一面にはディスプレイ部が配置され得る。
【００２８】
カメラモジュール１０００は本体に配置され得る。カメラモジュール１０００は本体の一面に配置され得る。カメラモジュール１０００は、少なくとも一部が本体内部に収容され得る。カメラモジュール１０００は被写体の映像を撮影することができる。
【００２９】
ディスプレイ部は本体に配置され得る。ディスプレイ部は本体の一面に配置され得る。すなわち、ディスプレイ部はカメラモジュール１０００と同じ面に配置され得る。または、ディスプレイ部は本体の一面と異なる面に配置されてもよい。ディスプレイ部はカメラモジュール１０００が配置された面の対向面に配置され得る。ディスプレイ部はカメラモジュール１０００で撮影された映像を出力することができる。
【００３０】
以下では、本実施例のカメラモジュール１０００の構成を、図面を参照して説明する。
【００３１】
図２は第１実施例のカメラモジュールを示す斜視図、図３は第１実施例のカメラモジュールを示す分解斜視図、図４は第１実施例のシールド缶を示す分解斜視図、図５は第１実施例のレンズホルダーを示す斜視図、図６は第１実施例のレンズホルダーを示す断面図、図７は第１実施例の液体レンズを示す分解斜視図、図８は第１実施例の液体レンズを示す平面図、図９Ａ〜図９Ｌは、第１実施例において導電性液体と非導電性液体がキャビティに収容されたことを示す概念断面図、図１０は第１実施例のカメラモジュールを示す断面図である。
【００３２】
この第１実施例のカメラモジュール１０００はＡＦ駆動用カメラモジュールでよい。このとき、カメラモジュール１０００は「ＡＦカメラモジュール」と称することができる。または、カメラモジュール１０００がＯＩＳ駆動用カメラモジュールであってもよい。
【００３３】
カメラモジュール１０００は、カバー部材１００、レンズモジュール、赤外線フィルター６００、メイン基板７００、イメージセンサー（図示せず）及び制御部（図示せず）を備えることができる。ただし、カメラモジュール１０００においてカバー部材１００、赤外線フィルター６００、メイン基板７００及びイメージセンサー（図示せず）のいずれか一つ以上が省略又は変更されてもよい。前記メイン基板７００はイメージセンサーが実装される印刷回路基板であってもよい。
【００３４】
カバー部材１００はカメラモジュール１０００の外観を形成することができる。カバー部材１００は下部が開放された六面体状であってよい。ただし、これに制限されるものではない。カバー部材１００は非磁性体であってよい。または、カバー部材１００は金属の板材で構成されてもよい。この場合、カバー部材１００は電子妨害雑音（ＥＭＩ；ｅｌｅｃｔｒｏ  ｍａｇｎｅｔｉｃ  ｉｎｔｅｒｆｅｒｅｎｃｅ）を遮断することができる。カバー部材１００のこのような特徴から、カバー部材１００を「ＥＭＩシールド缶」と呼ぶことができる。カバー部材１００はカメラモジュール１０００の外部から発生する電波がカバー部材１００の内部に流入することを遮断することができる。また、カバー部材１００は、カバー部材１００の内部で発生した電波がカバー部材１００の外側に放出されることを遮断することができる。ただし、カバー部材１００の材質が金属の板材に制限されるものではない。
【００３５】
カバー部材１００は上板１２０と複数の側板１３０を有することができる。カバー部材１００は、上板１２０と、上板１２０の外側から下側に延長される複数の側板１３０を有することができる。カバー部材１００はレンズホルダー３００の外側面に位置し得る。カバー部材１００はレンズホルダー３００の外側面と接して位置し得る。カバー部材１００の複数の側板１３０の下端はレンズホルダー２００に装着され得る。カバー部材１００の複数の側板１３０の下端は、レンズホルダー２００の下部の段差部２５０に装着され得る。
【００３６】
上板１２０はプレート状であってよい。上板１２０の各辺には下側に延長された複数の側板１３０が位置し得る。この場合、上板１２０と複数の側板１３０は一体として形成され得る。上板１２０の中央には第１透過窓１１０が位置し得る。第１透過窓１１０は、上板１２０の中央に形成されている円形の孔であり、後述するレンズモジュールの光軸を中心とすることができる。したがって、被写体から反射された光は、第１透過窓１１０を通じてレンズモジュールに照射され得る。
【００３７】
側板１３０は複数個であってよい。側板１３０は、上板１２０の４つの辺からそれぞれ下側に延びて形成され得る。その結果、側板１３０は合計４個であってよい。なお、それぞれの側板１３０は互いに離隔していてもよい。側板１３０の下端はレンズホルダー２００の下部の段差部２５０に装着され得る。
【００３８】
スリット１４０は、複数の側板１３０が互いに離隔してなる空間であってよい。すなわち、スリット１４０は、複数の側板１３０のうち隣り合う側板１３０の間に位置し得る。スリット１４０はカバー部材１００の４個の垂直辺に沿って位置し得る。
【００３９】
スリット１４０は第１、第２、第３間隙１４２，１４４，１４６を有することができる。第１間隙１４２はカバー部材１００の垂直辺に沿って形成され得る。また、第２及び第３間隙１４４，１４６は、第１間隙１４２の上端部がカバー部材１００の上部角から両側に分かれて形成され得る。第２及び３間隙１４４，１４６の上側端部は丸くし得る。その結果、一体の平板を成形して展開図形態のカバー部材１００を製作した後、複数の側板１３０を下側に曲げてカバー部材１００を完成することができる。この場合、第２及び３間隙１４４，１４６の上端部が丸くなっているので、側板１３０を曲げやすい。しかも、側板１３０が曲がる部分の両端に応力が集中することを防止でき、クラック（Ｃｒａｃｋ）などの発生を防止することができる。
【００４０】
レンズモジュールは、レンズホルダー２００、第１レンズ部３００、液体レンズ４００及び第２レンズ部５００を備えることができる。レンズモジュールの下側にはメイン基板７００が位置し得る。レンズモジュールはメイン基板７００によって支持され得る。レンズモジュールの下端部はメイン基板７００に装着され得る。レンズモジュールの下端部はメイン基板７００の上面外側に装着され得る。レンズモジュールを透過した光は、メイン基板７００の上面内側に実装されたイメージセンサーに照射され得る。変形例（図示せず）では、レンズモジュールがベースプレートを有してもよい。この場合、レンズモジュールの下端部はベースプレートに装着されて支持され得る。また、ベースプレートの下部にメイン基板が位置し得る。なお、ベースプレートはメイン基板の上面外側に装着され得る。
【００４１】
レンズホルダー２００はブロック形態のプラスチック射出物でよく、「ハウジング」と称することもできる。レンズホルダー２００は、コア成形によって製作することができる。レンズホルダー２００の中央には光軸方向にコア２１０が位置し得る。レンズホルダー２００には光軸方向にレンズホルダー２００の中央部を貫通するコア２１０が形成され得る。
【００４２】
コア２１０はレンズホルダー２００に位置してよく、孔（ｈｏｌｅ）の形状であってもよい。コア２１０はレンズホルダー２００の中央に光軸方向に位置し得る。コア２１０はレンズホルダー２００の中央に光軸方向に形成され得る。コア２１０はレンズホルダー２００を上下方向に貫通して形成され得る。したがって、コア２１０によってレンズホルダー２００の上側と下側が開放され得る。コア２１０には第１レンズ部３００、液体レンズ４００及び第２レンズ部５００が収容され得る。コア２１０は第２透過窓２１１、第１レンズ収容孔２２０、第２レンズ収容孔２３０、挿入孔２３２及び第３レンズ収容孔２４０を有することができる。コア２１０には上側から下側の方向に、第２透過窓２１１、第１レンズ収容孔２２０、第２レンズ収容孔２３０及び第３レンズ収容孔２４０が順に位置し得る。コア２１０には上側から下側の方向に、第１レンズ部３００、液体レンズ４００及び第２レンズ部５００が順に収容され得る。この場合、第１レンズ部３００、液体レンズ４００及び第２レンズ部５００の光軸は整列され得る。
【００４３】
第２透過窓２１１はコア２１０の最上側に位置し得る。第２透過窓２１１は円形であってよい。第２透過窓２１１と上側方向に離隔して第１透過窓１１０が位置し得る。第２透過窓２１１の下側には第１レンズ収容孔２２０が位置し得る。第２透過窓２１１と第１レンズ収容孔２２０とが上下方向に連通し得る。第２透過窓２１１は第１レンズ収容孔２２０と一体に形成され得る。すなわち、第２透過窓２１１は第１レンズ収容孔２２０の一部であってよい。この場合、第２透過窓２１１から第１レンズ部２００の最上側レンズが突出し得る。
【００４４】
第１レンズ収容孔２２０はコア２１０の中間に位置し得る。第１レンズ収容孔２２０の上側には第２透過窓２１１が位置し得る。第１レンズ収容孔２２０の下側には第２レンズ収容孔２３０が位置し得る。第２透過窓２１１と第１レンズ収容孔２２０と第２レンズ収容孔２３０とが上下方向に連通し得る。第２透過窓２１１と第１レンズ収容孔２２０と第２レンズ収容孔２３０とが光軸方向に整列して形成され得る。第１レンズ収容孔２２０には第１レンズ部３００が収容され得る。
【００４５】
第２レンズ収容孔２３０はコア２１０の中間に位置し得る。第２レンズ収容孔２３０の上側には第１レンズ収容孔２２０が位置し得る。第２レンズ収容孔２３０の下側には第３レンズ収容孔２４０が位置し得る。第１レンズ収容孔２２０と第２レンズ収容孔２３０と第３レンズ収容孔２４０とが上下方向に連通し得る。第１レンズ収容孔２２０と第２レンズ収容孔２３０と第３レンズ収容孔２４０とが光軸方向に整列して形成され得る。第２レンズ収容孔２３０には液体レンズ４００が収容され得る。その結果、第１レンズ部３００及び液体レンズ４００の光軸が整列し得る。
【００４６】
挿入孔２３２はレンズホルダー２００において光軸方向と傾斜して位置し得る。挿入孔２３２はレンズホルダー２００において光軸方向と垂直に位置し得る。挿入孔２３２はレンズホルダー２００の一側面を貫通して光軸方向と傾斜して形成され得る。挿入孔２３２はレンズホルダー２００の一側面を貫通して光軸方向と垂直に形成され得る。すなわち、挿入孔２３２によってレンズホルダー２００の一側面の一部が開放され得る。挿入孔２３２はコア２１０と連通し得る。挿入孔２３２は第２レンズ収容孔２３０と連通し得る。その結果、液体レンズ４００が挿入孔２３２を通ってレンズホルダー２００の側面に挿入されて第２レンズ収容孔２３０に収容され得る。レンズホルダー２００において挿入孔２３２が貫通する一側面には、挿入孔２３２と連通して下側に延長された基板収容溝２３４が形成され得る。基板収容溝２３４には後述する上部連結基板４１０ｂ及び下部連結基板４５０ｂが収容され得る。基板収容溝２３４はレンズホルダー２００の下端部まで延長して形成され得る。上部連結基板４１０ｂ及び下部連結基板４５０ｂは基板収容溝２３４に沿って位置するので、レンズホルダー２００の下部に位置するメイン基板７００と電気的に連結され得る。
【００４７】
第３レンズ収容孔２４０はコア２１０の最下側に位置し得る。第３レンズ収容孔２４０の上側には第２レンズ収容孔２３０が位置し得る。第２レンズ収容孔２３０と第３レンズ収容孔２４０とが上下方向に連通し得る。第２レンズ収容孔２３０と第３レンズ収容孔２４０とが光軸方向に整列して形成され得る。第３レンズ収容孔２４０には第２レンズ部５００が収容され得る。その結果、液体レンズ４００及び第２レンズ部５００の光軸は整列し得る。
【００４８】
一般に、液体レンズ４００は、他のレンズに比べて直径が大きい。したがって、液体レンズ４００をコア２１０の下側開口から挿入する場合、第１レンズ部３００及び液体レンズ４００を収容する上側コアと、第２レンズ部５００を収容する下側コアがそれぞれ必要である。それぞれのコアは別個のコア成形工程によって形成されるので、上軸コアの光軸と下側コアの光軸とが合わない問題点が発生し得る。しかし、この第１実施例では、挿入孔２３２によって液体レンズ４００が側面から挿入される。その結果、一つのコア２１０に第１レンズ部３００、液体レンズ４００及び第２レンズ部５００を全て収容することができる。すなわち、単一のコア成形工程によって一体に形成されたコア２１０に全てのレンズが収容されるので、光軸が歪む問題が発生しない。
【００４９】
第１レンズ部３００は１つ以上のレンズを有することができる。第１レンズ部３００は２つのレンズを有することができる。第１レンズ部３００の複数レンズは積層形態に位置し得る。第１レンズ部３００は第１レンズ収容孔２２０に収容され得る。第１レンズ部３００のレンズは、レンズの上部が第１レンズ収容孔２２０の突段部やＯリングに接し、レンズの下部が下部レンズやＯリングに支持されて固定され得る。第１レンズ部３００の最下側レンズの下部は、後述する液体レンズ４００の上部プレート４２０の上面に接し得る。第１レンズ部３００の最下側レンズの下部は、後述する液体レンズ４００の上部プレート４２０の上面に支持されて固定され得る。
【００５０】
第１レンズ部３００の最下側レンズの下面には外周部に沿って傾斜部３１０が位置し得る。この場合、傾斜部３１０は第１レンズ部３００の内側に向かって下斜めに形成され得る。最下側レンズの下面の外周部が角ばっている場合、液体レンズ４００の挿入時に上部プレート４２０と摩擦することがあり、これを防止するために傾斜部３１０が必要である。
【００５１】
液体レンズ４００は導電性液体と非導電性液体との界面の曲率を制御してＡＦ機能とＯＩＳ機能を行うレンズである。導電性液体及び非導電性液体が収容され、電極と絶縁体が積層してコートされたキャビティ（ｃａｖｉｔｙ）に電圧を印加すれば、印加された電圧の強度によって導電性液体と絶縁体でコートされたキャビティの内側面との接触角が変化する電気湿潤（ｅｌｅｃｔｒｏｗｅｔｔｉｎｇ）現象が発生する。図１を参照して、電気湿潤（ｅｌｅｃｔｒｏ  ｗｅｔｔｉｎｇ）現象をより詳細に説明する。電気的に絶縁された絶縁膜１４の上面に導電性液滴４０を落とすと、それは、図１に実線で示す球形をなす。絶縁膜１４の下の第１電極１３と導電性液滴４０との間の第２電極１５に電圧を印加すれば、図１に点線で示すように導電性液滴４０と絶縁膜１３の上面との接触角が変化する電気湿潤現象が起きる。なお、電圧が印加される位置を変更すると、電気湿潤現象が発生する位置が変更される。上述した電気湿潤現象によって、液体レンズ４００では導電性液体と非導電性液体との界面の曲率が変化し、このような曲率の変化を制御してＡＦ機能及びＯＩＳ機能を行うことができる。
【００５２】
以下で本第１実施例の液体レンズ４００を説明するとき、上部電極部は第１〜第４電極部ａ１，ａ２，ａ３，ａ４を有するとし、内壁電極部は第５〜第８電極部ａ５，ａ６，ａ７，ａ８を有するとする。
【００５３】
液体レンズ４００はレンズホルダー２００の内部に位置し得る。液体レンズ４００はコア２１０に収容され得る。液体レンズ４００は挿入孔２３２から第２レンズ収容孔２３０に収容され得る。液体レンズ４００は上部が、第１レンズ部３００の最下側レンズの下面及び第２レンズ収容孔２３０の上面に接し、下部が第２レンズ部５００の最上側レンズの上面及び第２レンズ収容孔２３０の下面に支持されて固定され得る。液体レンズ４００はレンズホルダー２００の一側面から挿入されてコア２１０に収容され得る。液体レンズ４００は挿入孔２３２を通って第２レンズ収容孔２３０に収容され得る。液体レンズ４００はメイン基板７００と電気的に連結され得る。液体レンズ４００の界面の曲率は制御され得る。
【００５４】
液体レンズ４００は基板とプレートとが積層された形態であってよい。液体レンズ４００は、上部基板４１０、上部プレート４２０、コアプレート４３０、下部プレート４４０及び下部基板４５０を有することができる。
【００５５】
上部基板４１０は液体レンズ４００の最上側に位置し得る。上部基板４１０の下部には上部プレート４２０が位置し得る。上部基板４１０の上面は第２レンズ収容孔２３０の上側内壁と接して位置し得る。上部基板４１０はコアプレート４３０と電気的に連結され得る。上部基板４１０はメイン基板７００と電気的に連結され得る。上部基板４１０はメイン基板７００によって制御され、後述するコアプレート４３０の電極部ａに電源を印加することができる。上部基板４１０は電極部ａに印加される電流の方向、強度、波長、及び電流が印加される位置を変更することができる。
【００５６】
上部基板４１０は上部回路基板４１０ａと上部連結基板４１０ｂを有することができる。
【００５７】
上部回路基板４１０ａはＰＣＢ（Ｐｒｉｎｔｅｄ  Ｃｉｒｃｕｉｔ  Ｂｏａｒｄ）であってよい。上部回路基板４１０ａはプレート形態でよい。上部回路基板４１０ａは四角プレート形態でよい。
【００５８】
上部回路基板４１０ａには、後述するキャビティ４３１と対応（対向）する部分から、又はキャビティ４３１と対応（対向）する部分から放射状に拡張された部分から一側辺に延長された上部ガイド孔４１５が形成され得る。一側辺は、液体レンズ４００が挿入孔２３２に挿入される方向の初入に位置する辺であってよい。液体レンズ４００の挿入時に、第１レンズ部３００の最下側レンズの下面と上部回路基板４１０ａとの摩擦を最小化するためである。上部ガイド孔４１５によって、第１レンズ部３００の最下側レンズの下面は上部プレート４２０に接して支持され得る。その結果、既に挿入されている第１レンズ部３００のレンズが揺動しないで、既に設定された位置に固定され得る。なお、液体レンズ４００の挿入時に発生する摩擦によって上部回路基板４１０ａが摩耗したり、上部回路基板４１０ａが上部プレート４２０又はコアプレート４３０から脱離する現象を防止することができる。
【００５９】
上部回路基板４１０ａには時計回り方向に第１上部角４１１、第２上部角４１２、第３上部角４１３及び第４上部角４１４が位置し得る。上部回路基板４１０ａの第１〜第４上部角４１１，４１２，４１３，４１４はコアプレート４３０の角より内側に位置し得る。液体レンズ４００の挿入時に第１〜第４上部角４１１，４１２，４１３，４１４と第２レンズ収容孔２３０の上側内壁及び側壁との摩擦を最小化するためである。その結果、第１〜第４上部角４１１，４１２，４１３，４１４とコアプレート４３０との接着が離れて上部回路基板４１０ａが剥離する現象を防止することができる。
【００６０】
第１〜第４上部角４１１，４１２，４１３，４１４はコアプレート４３０と電気的に連結され得る。第１〜第４上部角４１１，４１２，４１３，４１４はこれと対応（対向）するコアプレート４３０の電極部ａと電気的に連結され得る。第１上部角４１１は第１電極部ａ１と電気的に連結され得る。第２上部角４１２は第２電極部ａ２と電気的に連結され得る。第３上部角４１３は第３電極部ａ３と電気的に連結され得る。第４上部角４１４は第４電極部ａ４と電気的に連結され得る。第１〜第４上部角４１１，４１２，４１３，４１４と第１〜第４電極部ａ１，ａ２，ａ３，ａ４は４個の上部導電部（図示せず）によって電気的に連結され得る。この場合、上部導電部（図示せず）は後述する第１〜第４上部角４１１，４１２，４１３，４１４と対応（対向）する第１〜第４上部チャンネル４２１，４２２，４２３，４２４を通ることができる。また、上部導電部は導電性エポキシであってよい。その結果、第１〜第４上部角４１１，４１２，４１３，４１４と第１〜第４電極部ａ１，ａ２，ａ３，ａ４とが導電性エポキシによって接着され得る。また、上部導電部は電極パッドであってよい。
【００６１】
上部連結基板４１０ｂは、ＦＰＣＢ（Ｆｒｅｘｉｂｌｅ  Ｐｒｉｎｔｅｄ  Ｃｉｒｃｕｉｔ  Ｂｏａｒｄ）であってよい。上部連結基板４１０ｂは上部回路基板４１０ａと電気的に連結され得る。上部連結基板４１０ｂはメイン基板７００と電気的に連結され得る。その結果、メイン基板７００は上部連結基板４１０ｂ及び上部回路基板４１０ａを通して第１〜第４電極部ａ１，ａ２，ａ３，ａ４に電源を印加することができる。
【００６２】
上部連結基板４１０ｂは、上部回路基板４１０ａの他側辺から下側に延長されて位置し得る。他側辺は、液体レンズ４００が挿入孔２３２に挿入される方向の末尾に位置する辺であってよい。上部連結基板４１０ｂと上部回路基板４１０ａとの接合部は丸くし得る。上部連結基板４１０ｂは、基板収容溝２３４に収容されて下側に延長され得る。この場合、外側にカバー部材１００が位置するので、上部連結基板４１０ｂは外部から保護され得る。
【００６３】
上部プレート４２０は上部基板４１０の下部に位置し得る。上部プレート４２０は上部基板４１０と接し得る。上部プレート４２０はコアプレート４３０の上部に位置し得る。上部プレート４２０はコアプレート４３０と接し得る。上部プレート４２０の上側面は第１ガイド孔４１５を貫通した第１レンズ部３００の最下側レンズの下面と接し得る。その結果、第１レンズ部３００の最下側レンズは上部プレート４２０によって支持され得る。
【００６４】
上部プレート４２０は透明材質でよい。上部プレート４２０は絶縁性でよい。上部プレート４２０はガラス材質であってもよい。上部プレート４２０は反射防止コーティング（Ａｎｔｉ  Ｒｅｆｌｅｃｔｉｏｎ  Ｃｏａｔｉｎｇ）されていてもよい。上部プレート４２０は後述するキャビティ４３１の上部をカバーすることができる。このことから、上部プレート４２０はカバーガラスと呼ばれてもよい。上部プレート４２０の下面中央には上部溝４２５が位置し得る。後述するが、この第１実施例ではキャビティ４３１の上部に導電性液体Ｌ１が位置し、キャビティ４３１の下部に非導電性液体Ｌ２が位置するので、キャビティ４３１に収容された導電性液体Ｌ１は上部溝４２５に収容され得る。上部溝４２５は、後述する中央プレート４３０の上面に環状にコートされた絶縁部ｂと対応（対向）し得る。上部溝４２５の面積は、中央プレート４３０の上面に環状にコートされた絶縁部ｂの面積より広くできる。その結果、上部溝４２５に入っている導電性液体は第１〜第４電極ａ１，ａ２，ａ３，ａ４と接し得る。
【００６５】
上部プレート４２０の頂点部分、外縁部又は角部には、時計回り方向に第１上部チャンネル４２１、第２上部チャンネル４２２、第３上部チャンネル４２３、第４上部チャンネル４２４が位置し得る。上部プレート４２０の角部は内側に凹んで、時計回り方向に第１上部チャンネル４２１、第２上部チャンネル４２２、第３上部チャンネル４２３、第４上部チャンネル４２４を形成し得る。第１〜第４上部チャンネル４２１，４２２，４２３，４２４は第１〜第４角４１１，４１２，４１３，４１４と第１〜第４電極ａ１，ａ２，ａ３，ａ４との間に位置し得る。第１〜第４上部チャンネル４２１，４２２，４２３，４２４を通じて第１〜第４角４１１，４１２，４１３，４１４と第１〜第４電極ａ１，ａ２，ａ３，ａ４とが電気的に連結され得る。第１〜第４上部チャンネル４２１，４２２，４２３，４２４を通る上部導電部（図示せず）によって第１〜第４角４１１，４１２，４１３，４１４と第１〜第４電極ａ１，ａ２，ａ３，ａ４とが電気的に連結され得る。この場合、上部導電部は導電性エポキシであってよい。また、上部導電部は電極パッドであってよい。
【００６６】
コアプレート４３０は上部プレート４２０の下部に位置し得る。コアプレート４３０は上部プレート４２０と接し得る。コアプレート４３０は下部プレート４４０の上部に位置し得る。コアプレート４３０は下部プレート４４０と接し得る。コアプレート４３０の中央にはキャビティ４３１が形成され得る。キャビティ４３１には第１液体Ｌ１と第２液体Ｌ２が収容され得る。コアプレート４３０にはコアプレート４３０の中央を貫通するキャビティ４３１が形成され得る。コアプレート４３０の表面及びキャビティ４３１の内側面には電極部ａがコートされ得る。コアプレート４３０の上部には上部電極部が配置され得る。上部電極部は互いに区分された第１〜第４電極部ａ１，ａ２，ａ３，ａ４を有することができる。キャビティ４３１の内壁とキャビティ４３１の内壁からコアプレート４３０の上部及びコアプレート４３０の下部に延長された内壁電極部が配置され得る。内壁電極部は互いに区分された第５〜第８電極部ａ５，ａ６，ａ７，ａ８を有することができる。上部電極部と内壁電極部はコアプレート４３０の上部（上面）で断絶され得る。キャビティ４３１の内壁の電極部ａに絶縁層ｂがコートされ得る。また、コアプレート４３０の上面でキャビティ４３１の周辺の電極部ａに絶縁層ｂがコートされ得る。コアプレート４３０は上部基板４２０と電気的に連結され得る。コアプレート４３０は下部基板４５０と電気的に連結され得る。
【００６７】
キャビティ４３１はコアプレート４３０に位置し得る。キャビティ４３１はコアプレート４３０の中央に位置し得る。キャビティ４３１はコアプレート４３０を貫通して形成され得る。キャビティ４３１は上部から下部へ行くほど狭幅になり得る。キャビティ４３１は上部から下部へ行くほど水平断面積が狭くなり得る。キャビティ４３１には第１液体Ｌ１と第２液体Ｌ２が収容され得る。キャビティ４３１の内壁には電極部ａがコートされ得る。キャビティ４３１の内壁には内壁電極部ａ５，ａ６，ｓ７，ａ８がコートされ得る。
【００６８】
電極部ａの材質は導電性金属でよい。電極部ａは上部電極部及び内壁電極部を有することができる。上部電極部は第１〜第４電極部ａ１，ａ２，ａ３，ａ４を有することができる。内壁電極部は第５〜第８電極部ａ５，ａ６，ａ７，ａ８を有することができる。電極部ａはコアプレート４３０の表面にコートされ得る。電極部ａは上部基板４１０と電気的に連結され得る。電極部ａは上部基板４１０と上部導電部（図示せず）によって電気的に連結され得る。この場合、上部導電部は導電性エポキシであってよい。また、上部導電部は電極パッドであってもよい。電極部ａは下部基板４５０と電気的に連結され得る。電極部ａは下部基板４５０と下部導電部（図示せず）によって電気的に連結され得る。この場合、下部導電部は導電性エポキシ又は電極パッドであってよい。
【００６９】
第１〜第４電極部（上部電極部）ａ１，ａ２，ａ３，ａ４は、コアプレート４３０の上部（上面）に配置され得る。なお、第１〜第４電極部ａ１，ａ２，ａ３，ａ４は第１液体Ｌ１と接して第１液体Ｌ１に電圧を印加することができる。第１〜第４電極部ａ１，ａ２，ａ３，ａ４は時計回り方向にコアプレート４３０の上部（上面）を４個のセクターに分割できる。
【００７０】
第５〜第８電極部（内壁電極部）ａ５，ａ６，ａ７，ａ８は、キャビティ４３１の内壁と、コアプレート４３０の下面及び上面に配置され得る。第５〜第８電極部ａ５，ａ６，ａ７，ａ８は時計回り方向に、キャビティ４３１の内壁とコアプレート４３０の下面及び上面を４個のセクターに分割できる。第５〜第８電極部（内壁電極部）ａ５，ａ６，ａ７，ａ８と第１及び第２液体Ｌ１，Ｌ２との間には絶縁層ｂが介在され得る。すなわち、第５〜第８電極部（内壁電極部）ａ５，ａ６，ａ７，ａ８と第１及び第２液体Ｌ１，Ｌ２は相互接しない。
【００７１】
第１〜第４電極部（上部電極部）ａ１，ａ２，ａ３，ａ４と第５〜第８電極部（内壁電極部）ａ５，ａ６，ａ７，ａ８とがコアプレート４３０の上部（上面）で互いに連結されなくて済む。すなわち、第１〜第４電極部（上部電極部）ａ１，ａ２，ａ３，ａ４と第５〜第８電極部（内壁電極部）ａ５，ａ６，ａ７，ａ８はコアプレート４３０の上部で断絶され得る。
【００７２】
第１〜第４電極部ａ１，ａ２，ａ３，ａ４のそれぞれの角は、上部基板４１０の第１〜第４上部角４１１，４１２，４１３，４１４のそれぞれに対応（対向）し得る。第１〜第４電極部ａ１，ａ２，ａ３，ａ４のそれぞれの角に対応（対向）する上部基板４１０の第１〜第４上部角４１１，４１２，４１３，４１４のそれぞれは４個の上部導電部によって電気的に連結され得る。この場合、第１電極部ａ１と第１上部角４１１とが第１上部チャンネル４２１を通る（貫通する）上部導電部によって電気的に連結され得る。また、第２電極部ａ２と第２上部角４１２とが第２上部チャンネル４２２を通る（貫通する）上部導電部によって電気的に連結され得る。また、第３電極部ａ３と第３上部角４１３とが第３上部チャンネル４２３を通る（貫通する）上部導電部によって電気的に連結され得る。また、第４電極部ａ４と第４上部角４１４とが第４上部チャンネル４２４を通る（貫通する）上部導電部によって電気的に連結され得る。この場合、上部導電部は導電性エポキシ又は電極パッドであってよい。その結果、上部基板４１０によって第１〜第４電極部ａ１，ａ２，ａ３，ａ４に電源が印加され得る。なお、第１〜第４電極部ａ１，ａ２，ａ３，ａ４の一部のみに電源が印加されてもよい。また、第１〜第４電極部ａ１，ａ２，ａ３，ａ４に印加される電源の強度、極性は制御され得る。
【００７３】
第５〜第８電極部ａ５，ａ６，ａ７，ａ８のそれぞれの角は、下部基板４５０の第１〜第４下部角４５１，４５２，４５３，４５４のそれぞれに対応（対向）し得る。第５〜第８電極部ａ５，ａ６，ａ７，ａ８のそれぞれの角に対応（対向）する下部基板４５０の第１〜第４下部角４５１，４５２，４５３，４５４のそれぞれは、４個の下部導電部（図示せず）によって電気的に連結され得る。この場合、第５電極部ａ５と第１下部角４５１とが第１下部チャンネル４４１を通る（貫通する）下部導電部によって電気的に連結され得る。また、第６電極部ａ６と第２下部角４５２とが第２上部チャンネル４４２を通る（貫通する）下部導電部によって電気的に連結され得る。また、第７電極部ａ７と第３下部角４５３とが第３下部チャンネル４４３を通る（貫通する）下部導電部によって電気的に連結され得る。また、第８電極部ａ８と第４下部角４５４とが第４下部チャンネル４４４を通る（貫通する）下部導電部によって電気的に連結され得る。この場合、下部導電部は導電性エポキシ又は電極パッドであってよい。その結果、下部基板４５０によって第５〜第８電極部ａ５，ａ６，ａ７，ａ８に電源が印加され得る。なお、第５〜第８電極部ａ５，ａ６，ａ７，ａ８の一部のみに電源が印加されてもよい。また、第５〜第８電極部ａ５，ａ６，ａ７，ａ８に印加される電源の強度、極性は制御され得る。
【００７４】
絶縁層ｂは絶縁性重合体であってよい。絶縁層ｂはパリレン（Ｐａｒｙｌｅｎｅ）コーティングであってもよい。絶縁層ｂは絶縁性（非導電性）酸化物（ｏｘｉｄｅ）であってもよい。絶縁層ｂは電極部ａにコートされ得る。絶縁層ｂは電極部ａに積層されてコートされ得る。絶縁層ｂはキャビティ４３１の内壁に沿って電極部ａにコートされ得る。絶縁層ｂはキャビティ４３１と対向する下部プレート４４０にコートされて配置され得る。この場合、絶縁層ｂは下部プレート４４０の上面と接し得る。また、後述する下部プレート４４０の下部溝４４５に接し得る。絶縁層ｂはコアプレート４３０の上面でキャビティ４３１の周りに沿って電極部ａにコートされ得る。キャビティ４３１の内壁と下部プレート４４０とコアプレート４３０の上面でキャビティ４３１の周りに沿って配置された絶縁層ｂは一体に形成され得る。その結果、絶縁層ｂは第１液体Ｌ１及び第２液体Ｌ２と接して第１液体Ｌ１及び第２液体Ｌ２を収容することができる。絶縁層ｂの厚さは２００ｎｍ以上でよい。特に、下部プレート４４０に配置される絶縁層ｂの厚さが２００ｎｍ未満の場合は、使用時に摩耗の恐れがあり、好ましくない。絶縁層ｂを透過する光の透過率は８５％以上でよい。特に、４３０ｎｍ〜６８０ｎｍ範囲の波長を有する光に対して絶縁層ｂの透過率は８５％以上がよい。その未満の場合は、イメージセンサーに照射され得る十分の光量を確保できず、出力されるイメージや動画像の解像度が低下する。
【００７５】
下部プレート４４０は下部基板４５０の上部に位置し得る。下部プレート４４０は下部基板４５０と接し得る。下部プレート４４０はコアプレート４３０の下部に位置し得る。下部プレート４４０はコアプレート４３０と接し得る。下部プレート４４０の下面は、第２ガイド孔４５５を貫通した第２レンズ部５００の最上側レンズの上面と接し得る。その結果、第２レンズ部５００の最上側レンズは下部プレート４４０によって固定され得る。
【００７６】
下部プレート４４０は透明材質であってよい。下部プレート４４０は絶縁性でよい。下部プレート４４０はガラス材質であってもよい。下部プレート４４０は反射防止コーティング（Ａｎｔｉ  Ｒｅｆｌｅｃｔｉｏｎ  Ｃｏａｔｉｎｇ）されていてもよい。下部プレート４４０は後述するキャビティ４３１の下部をカバーすることができる。このことから、下部プレート４４０をカバーガラスと呼ぶことができる。下部プレート４４０には絶縁層ｂが形成され得る。下部プレート４４０の上面でキャビティ４３１と対向する部分は絶縁層ｂによってコートされ得る。下部プレート４４０の下面中央には下部溝４４５が位置し得る。下部プレート４４０の下部溝４４５は絶縁層ｂによってコートされ得る。その結果、下部溝４４５に入っている第２液体Ｌ２は第５〜第８電極ａ５，ａ６，ａ７，ａ８と接し得る。
【００７７】
下部プレート４４０の角には時計回り方向に第１下部チャンネル４４１、第２下部チャンネル４４２、第３下部チャンネル４４３、第４下部チャンネル４４４が位置し得る。下部プレート４４０の角は内側に凹んで、時計回り方向に第１下部チャンネル４４１、第２下部チャンネル４４２、第３下部チャンネル４４３、第４下部チャンネル４４４が形成され得る。第１〜第４下部チャンネル４４１，４４２，４４３，４４４は第１〜第４下部角４５１，４５２，４５３，４５４と第５〜第８電極ａ５，ａ６，ａ７，ａ８との間に位置し得る。第１〜第４下部チャンネル４４１，４４２，４４３，４４４を通じて第１〜第４下部角４５１，４５２，４５３，４５４と第５〜第８電極ａ５，ａ６，ａ７，ａ８とが電気的に連結され得る。第１〜第４下部チャンネル４４１，４４２，４４３，４４４を通る下部導電部（図示せず）によって第１〜第４下部角４５１，４５２，４５３，４５４と第５〜第８電極ａ５，ａ６，ａ７，ａ８とが電気的に連結され得る。この場合、下部導電部は導電性エポキシであってよい。
【００７８】
下部基板４５０は液体レンズ４００の最下側に位置し得る。下部基板４５０の上部には上部プレート４４０が位置し得る。下部基板４５０の下面は第２レンズ収容孔２３０の下側内壁と接して位置し得る。下部基板４５０はコアプレート４３０と電気的に連結され得る。下部基板４５０はメイン基板７００と電気的に連結され得る。下部基板４５０はメイン基板７００によって制御され、後述するコアプレート４３０の第５〜第８電極部ａ５，ａ６，ａ７，ａ８に電源を印加することができる。下部基板４５０は第５〜第８電極部ａ５，ａ６，ａ７，ａ８に印加される電流の方向、強度、波長、及び電流が印加される位置を変更することができる。
【００７９】
下部基板４５０は下部回路基板４５０ａ及び下部連結基板４５０ｂを有することができる。
【００８０】
下部回路基板４５０ａはＰＣＢ（Ｐｒｉｎｔｅｄ  Ｃｉｒｃｕｉｔ  Ｂｏａｒｄ）であってよい。下部回路基板４５０ａはプレート形態でよい。下部回路基板４５０ａは四角プレート形態であってもよい。
【００８１】
下部回路基板４５０ａには、後述するキャビティ４３１と対応（対向）する部分又はキャビティ４３１と対応（対向）する部分から放射状に拡張された部分に、下部ガイド孔４５５が形成され得る。したがって、下部ガイド孔４５５によって第２レンズ部５００の最上側レンズの上面は下部プレート４４０に接して固定され得る。すなわち、第２レンズ部５００の最上側レンズが、電気制御の面で重要であるとともに摩擦によって摩耗及び剥離し得る下部回路基板４５０ａに接して固定されず、比較的安定した下部プレート４４０に接して固定され得る。
【００８２】
下部回路基板４５０ａには時計回り方向に、第１下部角４５１、第２下部角４５２、第３下部角４５３及び第４下部角４５４が位置し得る。下部回路基板４５０ａの第１〜第４下部角４５１，４５２，４５３，４５４はコアプレート４３０の角よりも内側に位置し得る。すなわち、下部基板４５０の角はコアプレート４３０の角から内側に入って位置し得る。液体レンズ４００の挿入時に第１〜第４下部角４５１，４５２，４５３，４５４と第２レンズ収容孔２４０の下側内壁及び側壁との摩擦を最小化するためである。その結果、第１〜第４下部角４５１，４５２，４５３，４５４とコアプレート４３０との接着が離れて下部回路基板４５０ａが剥離する現象を防止することができる。
【００８３】
第１〜第４下部角４５１，４５２，４５３，４５４はコアプレート４３０と電気的に連結され得る。第１〜第４下部角４５１，４５２，４５３，４５４はこれに対応（対向）するコアプレート４３０の電極部ａと電気的に連結され得る。第１下部角４５１は第５電極部ａ５と電気的に連結され得る。第２下部角４５２は第６電極部ａ６と電気的に連結され得る。第３下部角４５３は第７電極部ａ７と電気的に連結され得る。第４下部角４５４は第８電極部ａ８と電気的に連結され得る。第１〜第４下部角４５１，４５２，４５３，４５４と第５〜第８電極部ａ５，ａ６，ａ７，ａ８とが４個の下部導電部（図示せず）によって電気的に連結され得る。この場合、下部導電部（図示せず）は後述する第１〜第４下部角４５１，４５２，４５３，４５４と対応（対向）する第１〜第４下部チャンネル４４１，４４２，４４３，４４４を通ることができる。また、下部導電部は導電性エポキシであってよい。その結果、第１〜第４下部角４５１，４５２，４５３，４５４と第５〜第８電極部ａ５，ａ６，ａ７，ａ８とが導電性エポキシによって接着され得る。また、第１〜第４下部角４５１，４５２，４５３，４５４と第５〜第８電極部ａ５，ａ６，ａ７，ａ８とが電極パッドによって連結され得る。
【００８４】
下部連結基板４５０ｂは、ＦＰＣＢ（Ｆｒｅｘｉｂｌｅ  Ｐｒｉｎｔｅｄ  Ｃｉｒｃｕｉｔ  Ｂｏａｒｄ）であってよい。下部連結基板４５０ｂは下部回路基板４５０ａと電気的に連結され得る。下部連結基板４５０ｂは、メイン基板７００と電気的に連結され得る。その結果、メイン基板７００は下部連結基板４５０ｂ及び下部回路基板４５０ａを通じて第５〜第８電極部ａ５，ａ６，ａ７，ａ８に電源を印加することができる。
【００８５】
下部連結基板４５０ｂは、下部回路基板４５０ａの他側辺から下側に延長されて位置し得る。他側辺は、液体レンズ４００が挿入孔２３２に挿入される方向の末尾に位置する辺であってよい。下部連結基板４５０ｂと下部回路基板４５０ａとの接合部は丸くし得る。下部連結基板４５０ｂは基板収容溝２３４に収容されて下側に延長され得る。この場合、外側にはカバー部材１００が位置するので、下部連結基板４５０ｂは外部から保護され得る。
【００８６】
以下では、図９Ａ乃至図９Ｌを参照して第１実施例の様々な液体レンズ４００について説明する。以下、被写体から反射された光は液体レンズ４００を上部から下部に透過する。また、様々な液体レンズ４００において上述と同じ技術的思想を有する上部基板４１０及び下部基板４５０に関する図示及び説明は省略するものとする。
【００８７】
図９Ａの液体レンズ４００は、上部プレート４２０に上部溝４２５が形成されており、下部プレート４４０に下部溝４４５が形成されている。電極部ａは、キャビティ４３１の内壁とコアプレート４３０の上面及び下面に配置されている。上部電極部ａ１，ａ２，ａ３，ａ４はコアプレート４３０の上面に配置され、コアプレート４３０の上面のキャビティ４３１の周りで断絶され得る。内壁電極部ａ５，ａ６，ａ７，ａ８は、コアプレート４３０の上面のキャビティ４３１の周り、キャビティ４３１の内壁及びコアプレート４３０の下面に配置され、コアプレート４３０の上面のキャビティ４３１の周りで断絶され得る。すなわち、上部電極部ａ１，ａ２，ａ３，ａ４と内壁電極部ａ５，ａ６，ａ７，ａ８とがコアプレート４３０の上面で断絶されて、互いに連結されなくて済む。絶縁層ｂはコアプレート４３０のキャビティ４３１の周りに沿って電極部ａに配置され得る。この場合、絶縁層ｂは上部電極部ａ１，ａ２，ａ３，ａ４と内壁電極部ａ５，ａ６，ａ７，ａ８とが断絶された部分を経て配置され得る。また、下部溝４４５の上面に配置され得る。その結果、絶縁層ｂは、下面が下部溝４４５に配置され、下面からキャビティ４３１の内壁に沿って延長されて内壁電極部ａ５，ａ６，ａ７，ａ８に配置され、キャビティ４３１の内壁からコアプレート４３０の上面に沿って内壁電極部ａ５，ａ６，ａ７，ａ８を経て上部電極部ａ１，ａ２，ａ３，ａ４に位置し得る。第１液体Ｌ２はキャビティ４３１の下部に配置されて、絶縁層ｂの下部に収容され得る。第２液体Ｌ１はキャビティ４３１の上部に配置されて、絶縁層ｂの上部及び上部溝４２５に収容され得る。この場合、第２液体Ｌ２は上部電極部ａ１，ａ２，ａ３，ａ４と接し得る。
【００８８】
第１液体Ｌ１は導電性液体であり、第２液体Ｌ２は非導電性液体であってよい。第１液体Ｌ１は水を含み、第２液体Ｌ２はオイル（Ｏｉｌ）を含み得る。
【００８９】
第１液体Ｌ１と第２液体Ｌ２は、第２液体Ｌ２の上部に第１液体Ｌ１が位置し、互いに屈折率が異なり、相互接触して界面を形成することができる。界面は、電極部ａに印加された電圧によってキャビティ４３１の内壁に沿って移動し得る。
【００９０】
その結果、液体レンズ４００は、電極部ａに電圧を印加しない初期状態でマイナス（−）ジオプターを有し、電極部ａに電圧を印加することによってプラス（＋）ジオプターを有することになる。すなわち、界面は、初期状態で下部に曲がった形態であり、この場合、液体レンズ４００は凹レンズの機能を果たすことができる。電極部ａに電圧が印加されることにより、界面は益々上部に曲がり、液体レンズ４００は凸レンズの機能を果たすことができる。また、初期状態で下に膨らんだ界面の曲率半径は、電極部ａに最大電圧を印加した状態における、上に膨らんだ界面の曲率半径よりも大きくし得る。
【００９１】
図９Ｂの液体レンズには図９Ａの液体レンズを類推適用することができる。ただし、図９Ａの液体レンズと比較して下部溝４４５が省略されている。その結果、絶縁層ｂが下部プレート４４０においてキャビティ４３１と対向する上面に直接に配置され得る。
【００９２】
図９Ｃの液体レンズには図９Ａの液体レンズを類推適用することができる。ただし、図９Ａの液体レンズと比較して下部溝４４５が省略されている。なお、下部プレート４４０には絶縁層ｂが配置されていない。
【００９３】
図９Ｄの液体レンズには図９Ａの液体レンズを類推適用することができる。ただし、キャビティ４３１が傾斜しても形成され得る。この場合、キャビティ４３１の幅は下に向かって狭くなり得る。すなわち、キャビティ４３１の水平断面積は下に行くにつれて狭くなり得る。なお、図９Ｅの液体レンズは、図９Ｂの液体レンズにおいてキャビティ４３１が傾斜した場合であり、図９Ｆの液体レンズは、図９Ｃの液体レンズにおいてキャビティ４３１が傾斜した場合である。
【００９４】
図９Ｇには図９Ａの液体レンズを類推適用することができる。ただし、図９ｈの液体レンズには上部溝４２５が形成されていない。その代わりに、上部プレート４２０とコアプレート４３０とが第１接着部材４２７及び第２接着部材４２６によって結合され得る。すなわち、上部プレート４２０とコアプレート４３０とが第１接着部材４２７及び第２接着部材４２６によって離隔され、第２液体Ｌ２は離隔空間に満たされて上部電極ａ１，ａ２，ａ３，ａ４と接し得る。この場合、第１接着部材４２７及び第２接着部材４２６は非導電性物質であってよい。図９Ｈの液体レンズは、図９Ｂの液体レンズにおいて上部溝４２５の代わりに第１，２接着部材４２７，４２８が配置される場合であり、図９Ｉの液体レンズは、図９Ｃの液体レンズにおいて上部溝４２５の代わりに第１，２接着部材４２７，４２８が配置される場合であり、図９Ｊの液体レンズは、図９Ｄの液体レンズにおいて上部溝４２５の代わりに第１，２接着部材４２７，４２８が配置される場合であり、図９Ｋの液体レンズは、図９Ｅの液体レンズにおいて上部溝４２５の代わりに第１，２接着部材４２７，４２８が配置される場合であり、図９Ｌの液体レンズは、図９Ｆの液体レンズにおいて上部溝４２５の代わりに第１，２接着部材４２７，４２８が配置される場合である。
【００９５】
この第１実施例の液体レンズ４００は上下反転してレンズモジュールに配置されてもよい（図１０参照）。この場合、電極部ａに電圧を印加しない初期状態でプラス（＋）ジオプターを有し、電極部ａに電圧を印加することによってマイナス（−）ジオプターを有することになる。すなわち、界面は初期状態で上部に曲がった形態であり、この場合、液体レンズ４００は凸レンズの機能を果たすことができる。電極部ａに電圧が印加されることにより、界面は益々下部に曲がり、液体レンズ４００は凹レンズの機能を果たすことができる。また、初期状態で上に膨らんだ界面の曲率半径は、電極部ａに最大電圧を印加した状態における、下に膨らんだ界面の曲率半径より大きくし得る。
【００９６】
第２レンズ部５００は１つ以上のレンズを有することができる。第２レンズ部５００は３つのレンズを有することができる。第２レンズ部５００の複数レンズは積層形態で位置し得る。第２レンズ部５００は第２レンズ収容孔２４０に収容され得る。第２レンズ部５００のレンズは、レンズの上部は第２レンズ収容孔２４０の突段部やＯリングに接し、下部は下部レンズやＯリングに支持されて固定され得る。第２レンズ部５００の最上側レンズの上部は液体レンズ４００の下部プレート４４０の下面に接して固定され得る。
【００９７】
赤外線フィルター６００はイメージセンサーに赤外線領域の光が入射することを遮断することができる。赤外線フィルター６００はレンズモジュールとメイン基板７００との間に位置し得る。赤外線フィルター６００はレンズモジュールとイメージセンサーとの間に位置してもよい。赤外線フィルター６００は、フィルム材質又はガラス材質で形成され得る。赤外線フィルター６００は、撮像面保護用カバーガラス、カバーガラスのような平板状の光学的フィルターに赤外線遮断コーティング物質がコートされて形成され得る。赤外線フィルター６００は赤外線遮断フィルター又は赤外線吸収フィルターであってよい。
【００９８】
メイン基板７００はＰＣＢ（Ｐｒｉｎｔｅｄ  Ｃｉｒｃｕｉｔ  Ｂｏａｒｄ）であってよい。メイン基板７００はレンズホルダー２００を支持することができる。メイン基板７００にはイメージセンサーが実装され得る。一例として、メイン基板７００の上面内側にはイメージセンサーが位置し、メイン基板７００の上面外側にはレンズホルダー２００が位置し得る。このような構造により、レンズモジュールを通過した光が、メイン基板７００に実装されたイメージセンサーに照射され得る。メイン基板７００は液体レンズ４００に電源を供給することができる。メイン基板７００は上部基板４１０を通じて第１〜第４電極部ａ１，ａ２，ａ３，ａ４に電源を供給することができる。メイン基板７００は下部基板４５０を通じて第５〜第８電極部ａ５，ａ６，ａ７，ａ８に電源を供給することができる。一方、メイン基板７００には制御部が位置し得る。したがって、第１〜第８電極部ａ１，ａ２，ａ３，ａ４，ａ５，ａ６，ａ７，ａ８に供給される電流の方向、強度、波長、及び電流が印加される位置を制御することができる。
【００９９】
イメージセンサーはメイン基板７００に実装され得る。イメージセンサーはレンズモジュールと光軸が一致するように位置し得る。これにより、イメージセンサーはレンズモジュールを通過した光を獲得することができる。イメージセンサーは照射される光を映像として出力することができる。イメージセンサーは、ＣＣＤ（ｃｈａｒｇｅ  ｃｏｕｐｌｅｄ  ｄｅｖｉｃｅ；電荷結合素子）、ＭＯＳ（ｍｅｔａｌ  ｏｘｉｄｅ  ｓｅｍｉ−ｃｏｎｄｕｃｔｏｒ；金属酸化物半導体）、ＣＰＤ及びＣＩＤであってよい。ただし、イメージセンサーの種類がこれに制限されるものではない。
【０１００】
制御部はメイン基板７００に実装され得る。制御部は、第１〜第８電極部ａ１，ａ２，ａ３，ａ４，ａ５，ａ６，ａ７，ａ８のそれぞれに供給される電流の方向、強度及び波長などを制御することができる。制御部は液体レンズ４００を制御してカメラモジュール１０００のＡＦ機能及びＯＩＳ機能のいずれか一つ以上を行うことができる。すなわち、制御部は液体レンズ４００を制御し、液体レンズ４００の界面曲率を変化させることができる。
【０１０１】
以下、この第１実施例のカメラモジュール１０００のＡＦ、ＯＩＳ機能について説明する。この第１実施例のカメラモジュール１０００の機能は、キャビティ４３１に収容される第１液体Ｌ１と第２液体Ｌ２との界面の曲率を変化させて行うことができる。
【０１０２】
第１液体Ｌ１と第２液体Ｌ２の比重は類似又は略同一であり得る。したがって、第１液体Ｌ１と第２液体Ｌ２が存在する系（ｓｙｓｔｅｍ）では重力は無視されてもよい。すなわち、第１液体Ｌ１と第２液体Ｌ２が存在する系（ｓｙｓｔｅｍ）は、重力の影響は少なく受け、表面張力の影響を多く受ける。
【０１０３】
第１液体Ｌ１と第２液体Ｌ２との界面は変わり得る。さらにいうと、第１液体Ｌ１と第２液体Ｌ２との界面の曲率を制御してＡＦ機能及びＯＩＳ機能を行うことができる。
【０１０４】
ＡＦ機能を行うことを取り上げて説明する。第１〜第４電極部（上部電極部）ａ１，ａ２，ａ３，ａ４と第５〜第８電極部（内壁電極部）ａ５，ａ６，ａ７，ａ８の極性が反対となるように電圧を印加すれば、キャビティ４３１の上部に位置する導電性液体Ｌ１は第１〜第４電極部ａ１，ａ２，ａ３，ａ４と接して位置し、絶縁体（ｂ）及び非導電性液体Ｌ２によって第５〜第８電極部ａ５，ａ６，ａ７，ａ８と隔離して位置することから、電気湿潤現象が発生する。したがって、電圧の強度によって界面の曲率が変化し、ＡＦ機能を行うことができる。電圧の強度は、上述したように、制御部によって制御され得る。
【０１０５】
ＯＩＳ機能を行うことを取り上げて説明する。第１〜第４電極部（上部電極部）ａ１，ａ２，ａ３，ａ４の一部と第５〜第８電極部（内壁電極部）ａ５，ａ６，ａ７，ａ８の極性が反対となるように電圧を印加すれば、界面の曲率が第１〜第４電極部ａ１，ａ２，ａ３，ａ４のうち一側の方向に偏向して変わり得る。したがって、電圧の強度、及び第１〜第４電極部ａ１，ａ２，ａ３，ａ４のうち電圧が印加される電極部を選択してＯＩＳ機能を行うことができる。電圧の強度及び電圧が印加される電極部は、上述したように、制御部によって制御され得る。
【０１０６】
以下、本実施例の液体レンズ４００の第１液体Ｌ１と第２液体Ｌ２のアッべ数（Ａｂｂｅ  ｎｕｍｂｅｒ）について説明する。
【０１０７】
屈折率は、特定媒質を通過する時の光の速度に対する真空中の光の速度を比率で示す値である。屈折率（ｎｄ）は５８７．６ｎｍ（Ｈｅｌｉｕｍ  Ｄ−ｌｉｎｅ）の波長で指定される。分散は、波長による屈折率の偏差を示す。分散は、（ｎｄ−１）／（ｎｆ−ｎｃ）と定義されるアッべ数（（Ａｂｂｅ  ｎｕｍｂｅｒ；ｖｄ）によって指定され、アッべ数に反比例する。ここで、ｎｆは４８６．１ｎｍ（Ｈｙｄｒｏｇｅｎ  Ｆ−ｌｉｎｅ）での屈折率であり、ｎｃは６５６．３ｎｍ（Ｈｙｄｒｏｇｅｎ  Ｃ−ｌｉｎｅ）での屈折率である。アッべ数がよくないレンズは色収差（ｃｈｒｏｍａｔｉｃ  ａｂｅｒｒａｔｉｏｎ）を発生させ、解像度を阻害する。一般に、「良いアッべ数」の値は４０〜５０であり、「悪いアッべ数」は３０未満である。
【０１０８】
一方、液体レンズ４００は一般のレンズとは違い、導電性の第１液体Ｌ１と非導電性の第２液体Ｌ２で構成されている。上述したように、液体レンズ４００に使われる第１液体Ｌ１としては水を挙げ、第２液体Ｌ２としては油又はシリコンを挙げることができる。第２液体Ｌ２の屈折率（ｎｄ）は第１液体Ｌ１の屈折率（ｎｄ）より大きくし得る。一方、第１液体Ｌ１のアッべ数は第２液体Ｌ２のアッべ数より大きくし得る。
【０１０９】
第２液体Ｌ２の屈折率（ｎｄ）は第１液体Ｌ１の屈折率（ｎｄ）より０．１以上大きくできる。仮に、第２液体Ｌ２の屈折率（ｎｄ）と第１液体Ｌ１の屈折率（ｎｄ）との差が０．１未満であれば、第１液体Ｌ１と第２液体Ｌ２との界面の曲率変化に従う焦点可変能力が低下し、好ましくない。
【０１１０】
また、液体レンズ４００は、光の透過する媒質が２個であるので、第１液体Ｌ１のアッべ数と第２液体Ｌ２のアッべ数の各数値が異なり、イメージセンサーに照射される光の波長別位置が異なる。このため、第１液体Ｌ１と第２液体Ｌ２とのアッベ数差の絶対値を変更するシミュレーションを用いて適正解像度を具現する必要がある。
【０１１１】
図１１Ａ〜図１１Ｃは、液体レンズ４００を透過した赤（Ｒ）、緑（Ｇ）、青（Ｂ）の波長光のスポット（Ｓｐｏｔ）イメージを示す図である。第１液体Ｌ１と第２液体Ｌ２のアッベ数差の絶対値を変更してシミュレーションした。スポットイメージを分析してＭＴＦ（Ｍｏｄｕｌａｔｉｏｎ  ｔｒａｎｓｆｅｒ  ｆｕｎｃｔｉｏｎ）評価した。ＭＴＦは、レンズの性能を評価する指標であり、高い空間周波数を有するのか、コントラストが強く表現されるのかが重要な測定対象である。一般に、レンズのＭＴＦ値が４０以上である場合、レンズが一定レベル以上のレンズの空間周波数の分解能とコントラストの伝達力を確保したと評価する。すなわち、レンズのＭＴＦ値が４０以上である場合、適正レベルの解像度を示すことができる。
【０１１２】
図１１Ａは、第１液体Ｌ１のアッべ数（ｖｄ）は５８．５であり、第２液体Ｌ２のアッべ数（ｖｄ）は３３．８である場合のスポットイメージである。分析の結果、ＭＴＦ値は２７である。
【０１１３】
図１１Ｂは、第１液体Ｌ１のアッべ数（ｖｄ）は５８．５であり、第２液体Ｌ２のアッべ数（ｖｄ）は４４である場合のスポットイメージである。分析の結果、ＭＴＦ値は４０であり、適正レベルの解像度を確保することができる。
【０１１４】
図１１Ｃは、第１液体Ｌ１のアッべ数（ｖｄ）は５８．５であり、第２液体Ｌ２のアッべ数（ｖｄ）は５５である場合のスポットイメージである。分析の結果、ＭＴＦ値は４８であり、適正レベル以上の解像度を確保することができる。
【０１１５】
シミュレーションの結果、第１液体Ｌ１と第２液体Ｌ２のアッべ数（ｖｄ）の差の絶対値が１５未満のときに適正レベルの解像度を確保することができる。
【０１１６】
図１２は、液体レンズ及び固体レンズを有するレンズアセンブリの第２実施例を説明する。
【０１１７】
図示のように、レンズアセンブリは液体レンズモジュール２０１４と固体レンズを備えることができる。液体レンズモジュール２０１４は、液体レンズモジュール２０１４及び固体レンズを収容するホルダー２０１８Ａをさらに備えることができる。レンズアセンブリは、液体レンズモジュール２０１４、液体レンズモジュール２０１４の上部に配置される第１レンズ部２０１２、液体レンズモジュ−ル２０１４の下部に配置される第２レンズ部２０１６、及び液体レンズモジュール２０１４、第１レンズ部２０１２及び第２レンズ部２０１４を収容し、上部と下部が開放されたホルダー２０１８Ａを備えることができる。ここで、第１レンズ部２０１２及び第２レンズ部２０１６のそれぞれは少なくとも一つのレンズを含むことができ、第２レンズ部２０１６は液体レンズモジュール２０１４を基準に、第１レンズ部２０１２と反対側に配置され得る。第１レンズ部２０１２及び第２レンズ部２０１６の少なくとも一つは省略されてもよい。
【０１１８】
実施例によって、液体レンズモジュール２０１４は、複数のレンズである第１レンズ部２０１２の下部又は第２レンズ部２０１６との間に配置されてもよく、複数のレンズの上部又は下部（すなわち、最上部又は最下部）に配置されてもよい。
【０１１９】
レンズアセンブリを組み立てる過程で、ホルダー２０１８Ａに第１レンズ部２０１２及び第２レンズ部２０１６に含まれる複数のレンズを結合した後、液体レンズモジュール２０１４を最後に結合することができる。
【０１２０】
図１３は、図１２における液体レンズモジュール２０１４を説明する。
【０１２１】
図示のように、液体レンズモジュール２０１４は、液体レンズ２０２８と少なくとも一つの基板を備えることができる。液体レンズモジュール２０１４は、異なる２つの液体が形成する界面を含む液体レンズ２０２８、液体レンズを取り囲むスぺーサ２０３６、及び液体レンズに電圧を供給する少なくとも一つの基板２０４２，２０４４を備えることができる。液体レンズ２０２８の角は、液体レンズの中心部に比べて薄い厚さであり得る。
【０１２２】
液体レンズ２０２８は、異なる２つの液体、例えば導電性液体と非導電性液体を含み、２つの液体が形成する界面の曲率又は形状は、液体レンズ２０２８に供給される駆動電圧によって調整され得る。液体レンズ２０２８に供給される駆動電圧は、第１基板２０４２及び／又は第２基板２０４４を通じて伝達され得る。第１基板２０４２は区別される複数個（例えば、４個又は８個）の駆動電圧を伝達でき、第２基板２０４４は少なくとも一つの電圧を伝達できる。第２基板２０４４は一つの基準電圧を伝達することができる。第１基板２０４２及び第２基板２０４４を通じて供給される電圧は、液体レンズ２０２８の各角に露出される複数の電極に印加され得る。
【０１２３】
図１４は、図１２において液体レンズ及び固体レンズを収容するホルダーの第１例を説明する。
【０１２４】
図示のように、ホルダー２０１８Ａの側面に形成される開口領域に液体レンズモジュール２０１４が矢印方向に挿入され、液体レンズモジュールの中心軸とホルダー２０１８Ａに収容された複数のレンズの中心軸とを相互整列させることができる。
【０１２５】
図１４の円で示した領域を参照すれば、液体レンズモジュール２０１４をホルダー２０１８Ａに結合した後、上部から見ると、液体レンズモジュール２０１４に備えられる第１基板２０４２とスぺーサ２０３６がホルダー２０１８Ａの両側面から突出している。
【０１２６】
液体レンズモジュール２０１４をホルダー２０１８Ａに挿入する時、液体レンズモジュール２０１４とホルダー２０１８Ａに含まれる第１レンズ部２０１２及び第２レンズ部２０１６のうち少なくとも一つとが中心軸が整列するように位置を調整する必要がある。特に、複数のレンズの光軸を整列させる過程は、レンズアセンブリの光学的性能を向上させるために必要である。しかし、ホルダー２０１８Ａの両側に露出されている第１基板２０４２とスぺーサ２０３６を基準に、液体レンズモジュール２０１４をホルダー２０１８Ａに収容された他のレンズと整列させることは非常に難しいだろう。特に、液体レンズモジュール２０１４のレンズ領域又は界面を含む液体レンズ２０２８（図１３参照）が露出されていないため、機構的な方法で整列し難い。
【０１２７】
図１５は、図１２において液体レンズ及び固体レンズを収容するホルダーの第２例を説明する。
【０１２８】
図示のように、液体レンズを収容するホルダー２０１８Ｂの上部には複数（例えば、４個）のオープニング２０５２を有することができる。
【０１２９】
オープニング２０５２から液体レンズモジュール２０１４（図１３参照）の液体レンズ２０２８、スぺーサ２０３６、及び第１基板２０４２が露出され得る。特に、オープニング２０５２から液体レンズ２０２８の一部又は第１基板２０４２の一部が露出され、液体レンズモジュールの露出された部分から液体レンズモジュール２０１４の位置を確認して調整することができる。液体レンズ２０２８は平面上で多角形の形状を有することができ、液体レンズ２０２８と第１基板２０４２との接合領域は、多角形の形状において角に位置し得る。また、実施例によって、オープニング２０５２の数は液体レンズ２０２８の角の個数と同一でよい。また、液体レンズ２０２８と第１基板２０４２とが連結される接合領域の数と同一であってもよい。
【０１３０】
複数（例えば、４個）のオープニング２０５２から液体レンズ２０２８の４つの角領域が露出されるので、液体レンズ２０２８の位置及び／又は姿勢（傾き、歪みなど）を正確に認知でき、ホルダー２０１８Ｂ内で液体レンズモジュール２０１４の配置を校正することができる。オープニング２０５２から露出される液体レンズモジュール２０１４の液体レンズ２０２８の位置を認識でき、液体レンズモジュール２０１４とホルダー２０１８Ｂに含まれた他のレンズの光軸を機構的整列過程によって合わせることができる。
【０１３１】
図１６は、図１２のホルダーの構造を説明する。
【０１３２】
図示のように、ホルダー２０１８Ｂは、複数のオープニング２０５２と、液体レンズではなく固体レンズを収容できる固体レンズ収容部２０５４を有することができる。オープニング２０５２は固体レンズ収容部２０５４を基準に相互対称に位置し得る。
【０１３３】
図１７は、図１２のホルダー２０１８Ｂと液体レンズモジュールとの結合を説明する。
【０１３４】
図示のように、ホルダー２０１８Ｂに液体レンズモジュールが挿入され得る。ホルダー２０１８Ｂのオープニング２０５２から液体レンズモジュールの液体レンズ２０２８及び第１基板２０４２が露出され得る。特に、液体レンズ２０２８と第１基板２０４２の上面又は接合領域が露出され得る。
【０１３５】
より具体的に、オープニング２０５２から露出され得る液体レンズ２０２８の角と第１基板２０４２の厚さとの和は、液体レンズ２０２８の中心部の厚さよりも小さくてよい。オープニング２０５２から液体レンズ２０２８の一部と第１基板２０４２が露出され、液体レンズ２０２８の位置をより正確に判断することができる。
【０１３６】
図１８の（ａ）〜（ｄ）は、図１２のホルダーに配置されるオープニングの例を説明する。
【０１３７】
ホルダー２０１８Ｃ，２０１８Ｄ，２０１８Ｅ，２０１８Ｆの上部には、液体レンズ２０２８と基板とが連結される接合領域を露出させる少なくとも２個のオープニング（ｏｐｅｎｉｎｇ）が配置され得る。このとき、２個のオープニングは液体レンズモジュールのレンズ領域２０５４の中心を基準に相互反対の側に配置され得る。
【０１３８】
図１８の（ａ）を参照すると、オープニング２０５２Ａは、ホルダー２０１８Ｃの上部において対角線方向の両側に配置された円形の形態であってよい。
【０１３９】
図１８の（ｂ）を参照すると、オープニング２０５２Ｂは、ホルダー２０１８Ｄの上部において上と下に配置される棒の形態、四角形の形態であってよい。
【０１４０】
図１８の（ｃ）を参照すると、オープニング２０５２Ｃは、ホルダー２０１８Ｅの上部において左と右に配置される棒の形態、四角形の形態であってよい。
【０１４１】
図１８の（ｄ）を参照すると、オープニング２０５２Ｄは、ホルダー２０１８Ｆの上部において対角線方向に開放された形態であってよい。
【０１４２】
図１８の（ａ）〜（ｄ）を参照すると、ホルダーの上部に配置され得るオープニングは円形、半球形、多角形のうち少なくとも一つの形状を有することができる。
【０１４３】
オープニングは、ホルダー上面に光軸と平行な方向に開放された孔の形態であってもよく、ホルダー上面にホルダー側面から凹んで形成された溝の形態であってよい。
【０１４４】
図１９は、カメラモジュールの第２実施例を説明する。
【０１４５】
図示のように、カメラモジュールは、上部と下部が開放されて形成されたホルダー２０１８、ホルダー２０１８内に収容される液体レンズモジュール２０１４、液体レンズモジュール２０１４の上部に配置される第１レンズ部２０１２、液体レンズモジュール２０１４の下部に配置される第２レンズ部２０１６、及び第２レンズ部２０１６の下部に配置され、イメージセンサーが実装されるセンサー基板２０６４を備えることができる。
【０１４６】
液体レンズモジュール２０１４は、２つの液体が形成する界面を含む液体レンズ２０２８、液体レンズ２０２８を取り囲むスぺーサ２０２６、及び液体レンズ２０２８に駆動電圧を供給するための少なくとも一つの基板２０４２を備えることができる。基板２０４２はセンサー基板２０６４と液体レンズ２０２８とを連結することができる。基板２０４２は、区別される複数の駆動電圧を供給でき、それぞれの駆動電圧は複数の端子２０４８を通じて伝達され得る。
【０１４７】
一方、カメラモジュールに設けられたホルダー２０１８は、複数のオープニング２０５２を有することができる。液体レンズモジュール２０１４をホルダー２０１８に挿入した後、複数のオープニング２０５２から露出される液体レンズ２０２８を用いて液体レンズモジュール２０１４の位置、配置を調整することができる。これによって、液体レンズモジュール２０１４を第１レンズ部２０１２及び第２レンズ部２０１６と機構的に整列させることができる。
【０１４８】
この実施例において液体レンズはカメラモジュールに含まれ得る。カメラモジュールは、ホルダーに実装される液体レンズ及び液体レンズの前面又は後面に配置され得る少なくとも一つの固体レンズを有するレンズアセンブリと、レンズアセンブリを通じて伝達される光信号を電気信号に変換するイメージセンサーと、液体レンズに駆動電圧を供給するための制御回路とを備えることができる。
【０１４９】
上述した実施例に係るレンズの整列方法は、コンピュータで実行可能なプログラムとして製作されてコンピュータ読取り可能記録媒体に格納され得る。コンピュータ読取り可能記録媒体の例には、ＲＯＭ、ＲＡＭ、ＣＤ−ＲＯＭ、磁気テープ、フロッピーディスク、光データ記憶装置などがある。
【０１５０】
コンピュータ読取り可能記録媒体は、ネットワークで接続されたコンピュータシステムに分散され、分散方式でコンピュータ読取り可能コードが格納されて実行され得る。そして、上述した方法を具現するための機能的な（ｆｕｎｃｔｉｏｎ）プログラム、コード及びコードセグメントは実施例の属する技術分野におけるプログラマー等にとって容易に推論可能であろう。
【０１５１】
実施例と関連して前述のようにいくつかのものを記述したが、その他にも様々な形態の実施が可能である。前述した実施例の技術的内容は、相互両立できない技術でない以上、様々な形態に組み合わせることができ、これによって新しい実施の形態を具現することもできる。
【０１５２】
例えば、前述した液体レンズを含むカメラモジュールを備えた光学機器（Ｏｐｔｉｃａｌ  Ｄｅｖｉｃｅ，Ｏｐｔｉｃａｌ  Ｉｎｓｔｒｕｍｅｎｔ）を具現することができる。ここで、光学機器としては、光信号を加工したり分析できる装置を含むことができる。光学機器の例には、カメラ／ビデオ装置、望遠鏡装置、顕微鏡装置、干渉計装置、光度計装置、偏光計装置、分光計装置、反射計装置、オートコリメータ装置、レンズメーター装置などがあり、液体レンズを含み得る光学機器に本発明の実施例を適用することができる。また、光学機器は、スマートフォン、ノートパソコン、タブレットコンピュータなどの携帯用装置とすることができる。このような光学機器は、カメラモジュール、映像を出力するディスプレイ部、及びカメラモジュール及びディスプレイ部が実装される本体ハウジングを備えることができる。光学機器は、本体ハウジングに他の機器と通信可能な通信モジュールが実装され、データ保存可能なメモリ部をさらに備えることができる。
【０１５３】
図２０は、カメラモジュールの第３実施例を示す図である。図２０のカメラモジュールは、図１９に示したカメラモジュールの第２実施例と類似している。
【０１５４】
図２１は、図２０における液体レンズモジュール３０１４を説明する。
【０１５５】
図示のように、液体レンズモジュール３０１４は、異なる２つの液体が形成する界面を含む液体レンズ３０２８、液体レンズ３０２８を取り囲むスぺーサ３０３６、液体レンズ３０２８に駆動電圧を供給するための第２基板３０４２及び第１基板３０４４を備えることができる。
【０１５６】
ここで、第２基板３０４２は液体レンズ３０２８の一側に露出された複数の電極を通じて共通電圧を伝達でき、第１基板３０４４は液体レンズの反対側に露出された複数の電極を通じて個別電圧を伝達することができる。一方、実施例によって、液体レンズ３０２８に個別電圧及び供給電圧が印加される位置は変更されてもよい。
【０１５７】
また、基板３０４２，３０４４の一部はスぺーサ３０３６と上下方向に対面し得る。なお、基板３０４２，３０４４の一部は液体レンズ３０２８の一部と上下方向に対面して配置され得る。
【０１５８】
図２２は、図２０におけるスぺーサ３０３６を説明する。
【０１５９】
図示のように、スぺーサ３０３６には、少なくとも一つの基板３０４４，３０４２が接合される領域に少なくとも一つのグルーブ（ｇｒｏｏｖｅ）３０８２が配置され得る。ここで、グルーブ３０８２はスぺーサ３０３６の上部又は下部に配置され得る。グルーブ３０８２は複数個が並んで配置されてもよい。実施例によって、グルーブ３０８２はスぺーサ３０３６の一辺に、曲がったパターン、交差するパターン、多角形状、１字状、又は１１字状などの形状又はパターンを有してもよく、スぺーサ３０３６の一辺に連続的に１つのパターンを有してもよく、断続的に１つ又は複数個のパターンを有してもよい。スぺーサ３０３６各辺の上部又は下部の面積によって、スぺーサ３０３６の各辺に配置されるグルーブ３０８２の個数は異なってもよい。図２２の一実施例において、スぺーサにおける狭い面積の辺には１つのグルーブ３０８２が配置され、広い面積の辺には２つのグルーブ３０８２が配置され得る。したがって、スぺーサにおける面積の広い辺には面積の狭い辺に比べて多くのグルーブ３０８２が配置され得る。イメージセンサーと基板が電気的に連結され得るように、基板が延長された方向に対応するスぺーサの辺が、基板が延長された方向に対応しないスぺーサの辺よりも広くてもよい。スぺーサにおける広い辺には狭い辺に比べて多くのグルーブ３０８２が配置され得る。イメージセンサーと基板とを電気的に連結するために基板を曲げたり折る過程が必要であるが、この時、基板の延長部に近接している部分の接着部に力が加えられ、接着部の浮きなどによる不良が発生することがある。これを防止するために、基板連結部に対応するスぺーサの辺を広く形成してグルーブ３０８２をさらに配置することによって接合剛性を高めることができる。
【０１６０】
また、スぺーサ３０３６には内側又は外側の少なくとも一側にガイド壁３０８６Ａ，３０８６Ｂが配置され得る。このとき、ガイド壁の高さは、基板３０４４，３０４２の厚さよりも厚くできる。ガイド壁の外側面には逃避部を設けることができる。例えば、第１辺、及び第１辺と隣り合わずに対面する対辺である第２辺のそれぞれに逃避部を形成することができる。スぺーサ３０３６を製作するための型への材料注入のためには広い空間が有利であり、相対的に厚さのあるガイド壁の外側面からニードル（ｎｅｅｄｌｅ）で注入するために形成された逃避部であってよい。材料注入後に材料の一部があふれる現象まで考慮してガイド壁に逃避部を配置することができる。
【０１６１】
液体レンズ３０２８、及び液体レンズ３０２８を取り囲むスぺーサ３０３６は多角形の平面構造を有することができる。グルーブ３０８２は多角形の平面において辺に対応する領域に配置され得る。また、ガイド壁３０８６Ａ，３０８６Ｂは互いに対向する１対の対辺にのみ配置され得る。
【０１６２】
また、スぺーサ３０３６は多角形の平面において角に対応する領域に少なくとも一つの突起３０８４が配置され得る。このとき、突起３０８４は基板３０４４，３０４２の形状によって異なり得る。
【０１６３】
一方、グルーブ３０８２はスぺーサ３０３６の前面又は後面に配置されたり、前面及び後面に配置され得る。
【０１６４】
図２３は、図２０における第１基板３０４４を説明する。
【０１６５】
図示のように、第１基板３０４４は複数の個別駆動電圧を伝達するために、幅の広い基板の一端に複数の端子３０４８を有し、液体レンズ３０２８の一側に配置されて、液体レンズ３０２８の角に露出された電極に対応する位置に個別駆動電圧を伝達するための導電性パターンを有することができる。
【０１６６】
図２４は、図２０における第２基板３０４２の一例を説明する。
【０１６７】
図示のように、第２基板３０４２は、一つの共通電圧（例、基準電圧）を印加するための端子を有することができる。第２基板３０４２は一つの共通電圧を伝達することから、第１基板３０４４に比べて、端子の配置される領域が狭く形成されてもよい。また、液体レンズ３０２８の角に露出された電極と電気的に連結され得るように露出された電極の形状に対応し、スぺーサ３０３６に配置された突起３０８４に対応する形状又は構造を有することができる。また、第２基板３０４２は軟性回路基板（ＦＰＣＢ）又は金属材質のメタルプレートであってよい。
【０１６８】
図２５は図２０における液体レンズ３０２８を説明する。
【０１６９】
図示のように、液体レンズモジュール３０１４（図２０参照）は、異なる２つの液体が形成する界面を含む液体レンズ３０２８、液体レンズ３０２８を取り囲むスぺーサ３０３６、及び液体レンズ３０２８に電圧を供給する少なくとも一つの基板３０４２，３０４４を備えることができる。液体レンズ３０２８の角は、液体レンズ３０２８の中心部より厚さが薄くてよい。
【０１７０】
液体レンズ３０２８は異なる２つの液体、例えば導電性液体と非導電性液体を含み、２つの液体が形成する界面の曲率、形状は、液体レンズ３０２８に供給される駆動電圧によって調整され得る。液体レンズ３０２８に供給される駆動電圧は第１基板３０４４及び第２基板３０４２を通じて伝達され得る。第１基板３０４４は区別される４つの個別駆動電圧を伝達でき、第２基板３０４２は１つの共通電圧を伝達できる。第２基板３０４２と第１基板３０４４を通じて供給される電圧は、液体レンズ３０２８の各角に露出される複数の電極３０７４，３０７２に印加され得る。第１基板３０４４と第２基板３０４２は各角に露出される複数の電極３０７４，３０７２と導電性接着剤によって結合され得る。導電性接着剤としては導電性エポキシなどを含み得る。
【０１７１】
また、液体レンズ３０２８は、透明な材質を含む第３プレート３０３２及び第２プレート３０３６、及び第３プレート３０３２と第２プレート３０３６との間に位置し、既に設定された傾斜面を有する開口領域を含む第１プレート３０３４を備えることができる。
【０１７２】
また、液体レンズ３０２８は、第３プレート３０３２、第２プレート３０３６、及び第１プレート３０３４の開口領域によって定義されるキャビティ３０５０（ｃａｖｉｔｙ）を有することができる。ここで、キャビティ３０５０は、異なる性質（例、導電性液体及び非導電性液体）の２つの液体３０２６，３０２４が充填され、異なる性質の２つの液体３０２６，３０２４の間には界面３０３０が形成され得る。
【０１７３】
また、液体レンズ３０２８に含まれる２つの液体３０２６，３０２４のうち少なくとも一つは導電性を有し、液体レンズ３０２８は、第１プレート３０３４の上部及び下部に配置される２つの電極３０７４，３０７６、及び導電性を有する液体が接触し得る傾斜面に配置される絶縁層３０７２をさらに備えることができる。ここで、絶縁層３０７２は２つの電極３０７４，３０７６のうち一つの電極を覆い、他の電極の一部を露出させることにより、導電性液体（例、３０２６）に電気エネルギーが印加されるようにし得る。
【０１７４】
液体レンズ３０２８に含まれた２電極３０７４，３０７６に駆動電圧を伝達するための２つの基板３０４４，３０４２が連結され得る。駆動電圧に対応して液体レンズ３０２８内に形成される界面３０３０の屈曲、傾斜度などが変わりながら液体レンズ３０２８の焦点距離が調整され得る。
【０１７５】
図２６は図２０における第１プレート３０３４を説明する。
【０１７６】
図示のように、第１プレート３０３４は、中心部に傾斜面を有する開口領域を含む。
【０１７７】
ここで、第１プレート３０３４はガラスを含むことができる。実施例によって、第１プレート３０３４はシリコンを含んでもよい。
【０１７８】
また、第１プレート３０３４は四角形の平面構造を有しているが、実施例によって多角形の平面構造を有してもよい。
【０１７９】
図２７は、図２０における第３プレート３０３２を説明する。
【０１８０】
図示のように、第３プレート３０３２は透明なガラス層を含むことができる。第３プレート３０３２の角領域は丸く凹んでいるが、、これは第３プレート３０３２と接合する第１プレート３０３４に配置された少なくとも一つの電極を露出させるためである。
【０１８１】
一方、実施例によって第３プレート３０３２は透明なプラスチックを含んでもよい。
【０１８２】
また、第３プレート３０３２は、図２６で説明した第１プレート３０３４に対応する平面積を有することができる。
【０１８３】
図２５〜図２７を参照すると、液体レンズ３０２８は、導電性液体３０２６及び非導電性液体３０２４を収容するキャビティ３０５０が形成された第１プレート３０３４、第１プレート３０３４の上部に配置される第１電極３０７４、第１プレート３０３４の下部に配置される第２電極３０７６、第１電極３０７４の上部に配置される第２プレート３０３６、及び第２電極３０７６の下部に配置される第３プレート３０３２を備えることができる。
【０１８４】
ここで、第１電極３０７４は少なくとも一つの電極セクターを有し、第２電極３０７６は２つ以上の電極セクターを有し得る。例えば、第１電極３０７４は１つの電極セクターを通じて共通電圧が印加され、第２電極３０７６は４個又は８個の個別駆動電圧がそれぞれの電極セクターを通じて印加され得る。
【０１８５】
一方、第２電極３０７６は第１プレート３０３６下部から上部まで延長して形成され得る。また、液体レンズ３０２８は第２電極３０７６の上部に配置される絶縁層３０７２をさらに備えることができる。
【０１８６】
図２８は、図２０における第２基板の他の例を説明する。
【０１８７】
図示のように、第２基板３０４２は、一つの共通電圧（例、基準電圧）を印加するための端子を有することができる。第２基板３０４２は、一つの共通電圧を伝達することから、第１基板３０４４に比べて、端子の配置される領域が狭く形成され得る。また、液体レンズ３０２８の角に露出された電極と電気的に連結され得るように露出された電極の形状に対応し、スぺーサ３０３６に配置された突起３０８４に対応する形状又は構造を有することができる。また、第２基板３０４２は軟性回路基板（ＦＰＣＢ）又は金属材質のメタルプレートであってよく、メタルプレートのときはリン青銅を含むことができる。
【０１８８】
第２基板３０４２は、液体レンズと向かい合う領域に配置される第１領域と、第１領域の一側から延長して配置される第２領域とを有することができる。第２領域は第１領域と同一平面に図示されているが、液体レンズモジュールをセンサー基板と電気的に連結する際、第２領域が第１領域に対して曲がって傾いた状態で配置され得る。第１領域は液体レンズの上面又は下面と対面し、第２領域は液体レンズの側面と対面するように配置され得る。
【０１８９】
第１領域は、角に配置され、液体レンズの第２電極３０７４と電気的に接触する第１−１領域３０４２ａ〜３０４２ｄと、これらの角を連結する辺に該当する第１−２領域とを有し、第１−２領域には絶縁層３０４３がコーティングなどの方法で配置され得る。第１−１領域３０４２ａ〜３０４２ｄを伝導領域といい、第１−２領域を絶縁領域ということができる。そして、伝導領域のうち少なくとも一部は第２電極と対面して電気的に連結され、絶縁領域は第２電極と対面しなくてよい。
【０１９０】
第２基板に配置される絶縁層３０４３はシールド缶などのカバー３０６２により、外部から流入し得るノイズ信号（電圧など）から液体レンズを保護することができる。第１−２領域は絶縁層３０４３によって液体レンズの第２電極と電気的に分離され得る。第２基板３０４２に具備された絶縁層３０４３を後述する液体レンズ内の第２絶縁層３０７２と区別して、第１絶縁層３０４３ということもできる。
【０１９１】
第２領域は、末端の第２−１領域３０４２ｅ、及び前記第１領域と第２−１領域３０４２ｅとを連結する第２−２領域を有することができる。第２−２領域には第１−２領域の絶縁層３０４３が配置され得る。
【０１９２】
第１領域と第２領域との間において第２基板３０４２の幅が狭い領域が設けられるが、下部のセンサー基板などと連結する際に第２領域を容易に曲げるためである。
【０１９３】
第２基板３０４２の第１領域は四角形状の平面構造を有し、横方向の２個の辺と縦方向の２個の辺を有する。第２基板３０４２の第１領域は、中央の開口領域と、周りの四角形状の閉曲面構造を有することができる。
【０１９４】
縦方向の２個の辺、すなわち、前記のガイド壁３０８６Ａ，３０８６Ｂと向かい合う第２基板３０４２の２個の辺の長さＷ１１，Ｗ１２よりも、横方向の２個の辺、すなわち、他の１対の辺の長さＷ２１，Ｗ２２がそれぞれ大きくてよい。
【０１９５】
ここで、長さＷ１１，Ｗ２１は辺の外側領域の長さであり、長さＷ１２，Ｗ２２は辺の内側領域の長さであってよい。そして、長さＷ１１〜Ｗ２２は、第２基板３０４２の第１領域が角を丸くしておらず、四角形の構造を有すると仮定したうえでの長さである。
【０１９６】
例えば、長さＷ１１，Ｗ２１はそれぞれ７．１０ｍｍと６．２０ｍｍで、長さＷ１２，Ｗ２２はそれぞれ７．５０ｍｍと６．７０ｍｍであり、０．０２ｍｍ以内の公差を有し得る。
【０１９７】
第２基板３０４２の第１領域は、前記の四角形の平面構造の角領域においてラウンド領域を有し得る。ラウンド領域は第１−１領域と重なり、前記第１絶縁層３０４３が配置されない領域であってよい。ラウンド領域の外側領域は第１曲率半径Ｒ１を有し、内側領域は相対的に大きい第２曲率半径Ｒ２を有することができる。第１曲率半径Ｒ１は、例えば０．６０ｍｍであり、第２曲率半径Ｒ２は０．７５ｍｍであってよい。第１及び第２曲率半径Ｒ１，Ｒ２はそれぞれ０．０２ｍｍの公差を有し得る。
【０１９８】
メタルプレート又は第２基板３０４２において上述した伝導領域及び絶縁領域は第１面に配置され、前記第１面と反対方向の第２面は、全体が絶縁領域であってよい。
【０１９９】
図２９はカメラモジュールの第４実施例を示す図である。
【０２００】
本実施例に係るカメラモジュールは、レンズアセンブリ４０００及び制御回路４９２０を備えることができる。
【０２０１】
レンズアセンブリ４０００は、固体レンズと液体レンズを備えることができる。固体レンズは液体レンズの上部又は下部に配置され得る。レンズアセンブリはホルダーをさらに備え、固体レンズ及び液体レンズをホルダーの内部に配置させることができる。例えば、レンズアセンブリ４０００はホルダー４５００の内部に、上部から下部の方向に第１レンズ部４１００と液体レンズ４３００と第２レンズ部４４００が配置される。液体レンズ４３００に駆動電圧を供給する連結基板４３８０の端子４３８５が回路基板４８００の端子４８１０と連結され得る。ホルダー４５００などはベース４７００上に配置され、ホルダー４５００の側面をカバー４６００が覆って配置され得る。ベース４７００及びカバー４６００のうち少なくとも一つは省略されてもよい。
【０２０２】
同図のレンズアセンブリ４０００の構造は一例に過ぎず、カメラ装置に要求される仕様によってレンズアセンブリ４０００の構造は変更してもよい。例えば、第１レンズ部４１００又は第２レンズ部４４００の一つが省略されてもよい。
【０２０３】
制御回路４９２０は液体レンズに駆動電圧を供給することができる。カメラモジュールはコネクター４９３０をさらに備えることができ、コネクター４９５０は制御回路４９２０を外部の電源やその他の装置と電気的に連結させることができる。コネクター２９５０は制御回路４９２０と連結部４９５０によって電気的に連結され得る。
【０２０４】
制御回路４９２０の構成は、カメラモジュールに要求される仕様によって個別に設計され得る。特に、レンズアセンブリ４０００に印加される動作電圧の大きさを減らすために、制御回路４９２０を一つのチップ（ｓｉｎｇｌｅ  ｃｈｉｐ）にすることができる。これにより、携帯用装置に搭載されるカメラ装置の大きさをさらに減らすことができる。
【０２０５】
レンズアセンブリ４０００は液体レンズ及び／又は固体レンズを備えることができる。液体レンズは導電性液体及び非導電性液体を含むことができ、共通端子及び複数の個別端子を有することができ、共通端子と個別端子との間に印加される駆動電圧に対応して前記導電性液体及び非導電性液体が形成する界面の形状が変更され、焦点距離が変更され得る。
【０２０６】
第１レンズ部４１００はレンズアセンブリ４０００の前方に配置され、レンズアセンブリ４０００の外部から光が入射する領域であり得る。第１レンズ部４１００は少なくとも一つのレンズで構成されてもよく、又は２個以上の複数のレンズが中心軸を基準に整列して光学系を形成してもよい。ここで、中心軸は光学系の光軸（Ｏｐｔｉｃａｌ  ａｘｉｓ）と同一であってよい。
【０２０７】
第１レンズ部４１００は２個のレンズからなり得るが、必ずしもこれに限定しない。
【０２０８】
第１レンズ部４２００、第２レンズ部４４００及び液体レンズ４３００は、ホルダー４５００の内部に形成された貫通ホールに装着され得る。そして、第１及び第２レンズ部４１００，４４００を液体レンズ４３００と区別するために第１及び第２固体レンズ部又は第１及び第２光学レンズ部といってもよく、ガラス系又はプラスチック系の材料で構成することができる。
【０２０９】
第１レンズ部４１００の前面には露出レンズ（図示せず）が設けられてもよく、露出レンズの前方にはカバーガラス（ｃｏｖｅｒ  ｇｌａｓｓ）（図示せず）が配置され得る。露出レンズはホルダー４５００の外部に突出して外部に露出され、表面が損傷することがある。仮に、レンズの表面が損傷する場合、カメラモジュールで撮影されるイメージの画質が低下し得る。したがって、露出レンズの表面損傷を防止、抑制するために、カバーガラスを配置したり、コーティング層を形成したり、又は露出レンズを表面損傷を防止するための耐摩耗性材質で構成する方法などを適用することができる。
【０２１０】
液体レンズ４３００は第１レンズ部４１００の下に配置され、第２レンズ部４４００は液体レンズ４３００の下に配置され得る。外部から第１レンズ部４１００に入射する光は液体レンズ４３００を通過して第２レンズ部４４００に入射し得る。第２レンズ部４４００は第１レンズ部４１００と離隔して配置され得る。
【０２１１】
第２レンズ部４４００は少なくとも一つのレンズで構成され、２つ以上の複数のレンズが含まれる場合、中心軸又は光軸を基準に整列して光学系を形成することができる。
【０２１２】
液体レンズ４３００は第１レンズ部４１００及び第２レンズ部４４００と同様に、中心軸を基準に整列し得る。液体レンズ４３００の構成は、図３０Ａ及び図３０Ｂを参照して後述する。
【０２１３】
液体レンズ４３００の第１及び第２接触電極（図３０Ｂの４３５６，４３４６）が、ホルダー４５００の外部に露出された連結基板４３８０の端子４３８５と電気的に連結され得る。そして、連結基板４３８０は例えば軟性回路基板（Ｆｌｅｘｉｂｌｅ  ｐｒｉｎｔｅｄ  ｃｏｒｃｕｉｔ  ｂｏａｒｄ）でよく、端子４３８５は、連結基板４３８０の外部の絶縁層が除去されて内部の導電層が露出される領域であってよい。
【０２１４】
回路基板４８００はベース４７００の下又はホルダー４５００の下に配置され、回路基板４８００の一部領域で端子４８１０が露出され得る。
【０２１５】
そして、図示してはいないが、第２レンズ部４４００の下にはイメージセンサーなどの受光素子が配置され得る。受光素子は上述した回路基板４８００と共にセンサー基板を構成することができる。
【０２１６】
図３０Ａ及び図３０Ｂは、図２９のカメラモジュールにおける液体レンズを示す図である。液体レンズ４３００は、液体、第１プレート及び電極を備えることができる。液体は、導電性の第１液体４３４０と非導電性の第２液体４３５０を含むことができる。第１プレート４３１０は、液体が配置されるキャビティ（ｃａｖｉｔｙ）を含むことができる。第１プレートの上又は下には電極が配置され得る。例えば、第１プレートの下に第１電極４３４５が配置され、第１プレートの上には第２電極４３５５が配置され得る。第１プレートの上又は下には第２プレート又は第３プレートが配置され得る。例えば、第１電極の下に第３プレートが配置され、第２電極の上に第２プレートが配置され得る。第２プレート又は第３プレートの少なくとも一つは省略されてもよい。
【０２１７】
第１プレート４３１０は第２プレート４３２０と第３プレート４３３０との間に配置され、既に設定された傾斜面（例えば、約５５〜６５°又は５０〜７０°の角度を有する傾斜面）を有する上下の開口部を含むことができる。上述した傾斜面、第２プレート４３２０と接触する第１開口部、及び第３プレート４３３０と接触する第２開口部で囲まれた領域を「キャビティ（ｃａｖｉｔｙ）」といえる。
【０２１８】
実施例において、第１開口部の大きさＯ１より第２開口部の大きさＯ２を大きくし得る。さらにいうと、Ｏ２／Ｏ１は１．１より大きく、１．６より小さくできる。Ｏ２／Ｏ１が１．１以下の場合、液体の量が不足してＯＩＳ駆動範囲が縮小され、駆動電圧が上昇することがあり、１．６以上の場合、液体レンズの厚さが増加し、液体レンズモジュールの高さが増加することがある。
【０２１９】
ここで、開口部の大きさは、水平方向の断面積を意味するか、又は開口部の断面が円形の場合は半径を、正方形の場合は対角線の長さを意味することができる。
【０２２０】
第１プレート４３１０は、第１及び第２液体４３４０，４３５０を収容する構造物である。第２プレート４３２０及び第３プレート４３３０は光が通過する領域を含んでおり、透光性材料で構成し、例えばガラス（ｇｌａｓｓ）で構成することができ、工程の便宜上、第２プレート４３２０と第３プレート４３３０は同じ材料で形成することができる。
【０２２１】
また、第１プレート４３１０は透明な材料で構成されてもよく、光がよく透過しないように不純物を含んでもよい。
【０２２２】
第２プレート４３２０は、第１レンズ部４１００からの光が前記のキャビティ内に進行する際に入射する構成であり、第３プレート４３３０は、上述したキャビティを通過した光が第２レンズ部４４００に進行する際に通過する構成である。
【０２２３】
上述したキャビティには異なる性質の第１液体４３４０と第２液体４３５０を充填することができ、第１液体４３４０と第２液体４３５０との間には界面が形成され得る。第１液体４３４０と第２液体４３５０とがなす界面は、屈曲、傾斜度などが変化し得る。
【０２２４】
第２液体４３５０はオイル（ｏｉｌ）であってよく、例えばフェニル（ｐｈｅｎｙｌ）系のシリコンオイルであってよい。
【０２２５】
第２液体４３５０は例えば、エチレングリコール（ｅｔｈｙｌｅｎｅ  ｇｌｙｃｏｌ）と臭化ナトリウム（ＮａＢｒ）とが混合して形成され得る。
【０２２６】
第１液体４３４０及び第２液体４３５０には殺菌剤及び酸化防止剤の少なくとも一つがそれぞれ含まれ得る。殺菌剤は、フェニル系酸化防止剤又はリン（Ｐ）系酸化防止剤であってよい。そして、殺菌剤は、アルコール系、アルデヒド系及びフェノール系のいずれか一つの殺菌剤であってよい。
【０２２７】
第１電極４３４５は第１プレート４３１０の下部面の一部領域に配置され、第１液体４３４０と直接に接触し得る。第２電極４３５５は第１電極４３４５と離隔して配置され、第１プレート４３１０の上部面、側面及び下部面に配置され得る。
【０２２８】
第１プレート４３１０の内側面はキャビティの側壁ｉをなすことができる。第１液体４３４０又は第２液体４３５０と第２電極４３５５との間には絶縁層４３６０が配置され得る。第１液体の一部と第１電極４３４５の一部とが接触し得る。第１電極４３４５と第２電極４３５５は、第１液体４３４０と第２液体４３５０との境界面を制御するために、外部の回路基板から受信される電気信号を印加することができる。
【０２２９】
第１電極４３４５及び第２電極４３５５は導電性材料で構成され、例えば金属からなり、詳しくはクロム（Ｃｒ）を含むことができる。クロミウム（ｃｈｒｏｍｉｕｍ）又はクロム（Ｃｈｒｏｍ）は、銀色の光沢がする硬い遷移金属であり、壊れやすく、変色しにくく、融点が高い。
【０２３０】
そして、クロミウムを含む合金は、腐食に強く、硬いため、他の金属と合金した形態で使用でき、特に、クロム（Ｃｒ）は腐食と変色が少ないため、キャビティを満たす導電性液体にも強い特徴がある。
【０２３１】
絶縁層４３６０はキャビティの上部領域において、第２プレート４３２０の下部面の一部と、キャビティの側壁をなす第２電極４３５５の一部を覆って配置され得る。また、絶縁層４３６０は第１プレート４３１０の下部面において、第２電極４３５５の一部、第１プレート４３１０及び第１電極４３４５を覆って配置され得る。絶縁層４３６０は、例えばパリレンＣ（ｐａｒｙｌｅｎｅ  Ｃ）コーティング剤によって具現でき、白色染料をさらに含んでもよい。白色染料はキャビティの側壁ｉをなす絶縁層４３６０で光が反射される頻度を増加させることができる。
【０２３２】
図示のように第２液体４３５０と第２プレート４３２０との間には絶縁層４３６０が配置され得る。第１液体４３４０は第３プレート４３３０と直接に接触し得る。
【０２３３】
第２プレート４３２０と第３プレート４３３０の縁は四角形状でよいが、必ずしもこれに限定しない。
【０２３４】
第２電極４３５５は第２プレート４３２０の縁の少なくとも一つの領域から露出され、第１電極４３４５は第３プレート４３３０の縁の少なくとも一つの領域から露出され得る。
【０２３５】
そして、第２プレート４３２０の外側の領域において第２電極４３５５上には第２接触電極４３５６が配置され、第３プレート４３００の外側の領域において第１電極４３４５上には第１接触電極４３４６が配置され得る。第１及び第２接触電極４３４６，４３５６は、上述した連結基板４３８０の一部分であってよい。
【０２３６】
図示してはいないが、第２電極４３５５と第２接触電極４３５６との間には導電性エポキシが配置され、第１電極４３４５と第１接触電極４３４６との間にも導電性エポキシが配置され得る。また、第２接触電極４３５６と第１接触電極４３４６は、第２電極４３５５及び第１電極４３４５にそれぞれ一体形に具備されてもよい。
【０２３７】
図３１は、図２９のカメラモジュールにおけるレンズアセンブリの配置を示す図である。以下、図３１を参照してカメラモジュールにおけるレンズアセンブリの配置を説明する。
【０２３８】
上記の第１レンズ部４１００は、第１及び第２レンズ４１１０，４１２０からなり、第２レンズ部４４００は第４、第５及び第６レンズ４４１０，４４２０，４４３０からなり、液体レンズ４３００は第３レンズに該当し得る。
【０２３９】
以下でいう「物体側面」とは、光軸を基準にして物体（ｏｂｊｅｃｔ）又は被写体方向のレンズの面を意味し、「上側面」とは、光軸を基準にして像（ｉｍａｇｅ）が結ばれるセンサー方向のレンズの面を意味する。
【０２４０】
また、本発明においてレンズの「＋パワー」は、平行光を収束する収束レンズを意味し、レンズの「−パワー」は、平行光を発散させる発散レンズを意味する。
【０２４１】
レンズアセンブリは、物体側（ｏｂｊｅｃｔ  ｓｉｄｅ）から像側（ｉｍａｇｅ  ｓｉｄｅ）に配置される第１レンズ〜第６レンズ４１１０，４１２０，４３００，４４１０，４４２０，４４３０を有し、フィルター４４５０、カバーガラス（図示せず）、及び受光素子４４８０をさらに有することができる。
【０２４２】
フィルター４４５０は、赤外線遮断フィルター（Ｉｎｆｒａｒｅｄ  Ｒａｙ  Ｃｕｔ  Ｆｉｌｔｅｒ）などの平板状の光学部材が配置され、カバーガラスは光学部材、例えば撮像面保護用カバーガラスでよく、受光素子４４８０は印刷回路基板（図示せず）上に積層されるイメージセンサー（ｉｍａｇｅ  ｓｅｎｓｏｒ）であってよい。
【０２４３】
受光素子４４８０はイメージセンサーであってよく、イメージセンサーの単位ピクセルの横及び／又は縦の長さは２μｍ（マイクロメートル）以下であってよい。上述した実施例と後述する実施例は、画素及び／又は画素数の高いカメラモジュールに適用され得る撮像レンズを提供することができ、上述したカメラモジュールは画素及び／又は画素数の高いイメージセンサー又は受光素子を有することができ、この場合、単位ピクセルの横及び／又は縦の長さは２μｍ以下であり得る。
【０２４４】
‘Ｓ１１’は第１レンズ４１１０の物体側面、‘Ｓ１２’は第１レンズ４１１０の像側面、‘Ｓ２１’は第２レンズ４１２０の物体側面、‘Ｓ２２’は第２レンズ４１２０の像側面、‘Ｓ３１’は第３レンズ４３００の物体側面、‘Ｓ３２’は第３レンズ４３００の像側面、‘Ｓ４１’は第４レンズ４４１０の物体側面、‘Ｓ４２’は第４レンズ４４１０の像側面、‘Ｓ５１’は第５レンズ４４２０の物体側面、‘Ｓ５２’は第５レンズ４４２０の像側面、‘Ｓ６１’は第６レンズ４４３０の物体側面、‘Ｓ６２’は第６レンズ４４３０の像側面であってよい。第３レンズ４１３０が絞り（ｓｔｏｐ）として作用してもよく、又は別の絞りが、例えば第１レンズ４１１０の前面に配置されたり、第１レンズ４１１０と第２レンズ４１２０との間に配置されてもよい。
【０２４５】
そして、第１レンズ４１１０と第２レンズ４１２０との間には第１スぺーサ４１１５が配置され、第５レンズ４４２０と第６レンズ４４３０との間には第２スぺーサ４４２５が配置され得る。そして、第４レンズ４４１０と第５レンズ４４２０との間にも第３スぺーサ４４１５が配置されてもよい。
【０２４６】
レンズの間に配置されるスぺーサのうち少なくとも一つは絞りの役目を有してもよい。第４レンズ〜第６レンズ４４１０，４４２０，４４３０の縁にホルダー４５００が配置されてもよく、第１レンズ〜第３レンズの縁にホルダー４５００が配置されてもよい。ホルダー４５００は第１レンズ〜第６レンズの全部を収容してもよい。
【０２４７】
第１レンズ４１１０は正の屈折力を有し、第２レンズ４１２０は負の屈折力を有し、第３レンズ、すなわち液体レンズ４３００は電圧印加によって焦点距離が変化し、第４レンズ４４１０は正の屈折力又は負の屈折力を有し、物体側方向の第１面Ｓ４１が凸になっており、第５レンズ４４２０は正の屈折力を有し、第６レンズ４４３０は負の屈折力を有することができる。
【０２４８】
レンズアセンブリは下記の式１を満たすことができる。
【０２４９】
＜式１＞
０．７５＜ｆ１／Ｆ＜１．２
【０２５０】
ここで、ｆ１は第１レンズ４１１０の有効焦点距離であり、Ｆは光学系、すなわち第１レンズ〜第６レンズ全体の有効焦点距離である。焦点距離は、物体側から平行光がレンズなどの光学系に入射した後、レンズから像が結ばれる地点までの距離を意味する。
【０２５１】
レンズアセンブリは下記の式２を満たすことができる。
【０２５２】
＜式２＞
１．２＜ＴＴＬ／Ｆ＜１．５
【０２５３】
ここで、ＴＴＬは、第１レンズ４１１０の物体側方向の第１面Ｓ１１から像（ｉｍａｇｅ）までの距離である。
【０２５４】
レンズアセンブリは下記の式３を満たすことができる。
【０２５５】
＜式３＞
Ｎ４ｄ＜１．６
【０２５６】
ここで、Ｎ４ｄは第４レンズ４４１０のｄ−ライン（５８７．６ｎｍ）での屈折率である。
【０２５７】
レンズアセンブリは下記の式４を満たすことができる。
【０２５８】
＜式４＞
２０＜ｖ４ｄ＜３０
【０２５９】
ここで、ｖ４ｄは、第４レンズ４４１０のｄ−ライン（５８７．６ｎｍ）でのアッべ数である。ｄ−ラインでのアッべ数は（ｎｄ−１）／（ｎＦ−ｎＣ）と表すことができ、ｎＦは４８６．１ｎｍで媒質の屈折率であり、ｎＣは６５６．３ｎｍでの媒質の屈折率であり、ｎｄは５８７．６ｎｍで媒質の屈折率であり、ここで、媒質は第４レンズ４４１０の材料を意味する。表１は、レンズアセンブリ４０００をなす各レンズの特性を表す。
【０２６０】
【表１】
2019532331.tif 000003
【０２６１】
ｆ１〜ｆ６は第１レンズ〜第６レンズ４１１０〜４４３０の焦点距離であり得る。第１レンズ４１１０と第２レンズ４１２０はガラス（ｇｌａｓｓ）又はプラスチック（ｐｌａｓｔｉｃ）からなり、第４レンズ〜第６レンズ４４１０〜４４３０はプラスチックからなり得る。
【０２６２】
第１レンズ部４１００の像側方向の第２面Ｓ２２から第２レンズ部４４００の物体側方向の第１面Ｓ４１までの距離Ｄは一定であり得る。そして、第１レンズ部４１００の像側方向の第２面Ｓ２２から第２レンズ部４４００の物体側方向の第１面Ｓ４１までの距離Ｄと、液体レンズ４３００の厚さｔ３は式５を満たすことができる。液体レンズ４３００の厚さｔ３は、光軸上で第２プレートの前面から第３プレートの後面までの距離であってよい。
【０２６３】
＜式５＞
１．８＜Ｄ／Ｔ＜２．１
【０２６４】
ここで、Ｄ／Ｔが１．８以下であれば、光学系が必要とするＯＩＳ補償角を満たせないことがあり、２．１以上であれば、光学系の中心部に対比して周辺部の明るさが暗いため、撮像用カメラとして使用できない。
【０２６５】
表２は、レンズアセンブリ４０００の一実施例をなす各レンズの光学的特性を表す。表２は、液体レンズ内で導電性液体と非導電性液体との界面がフラット（ｆｌａｔ）な場合である。ここで、Ｓ３１は、液体レンズ内の第２プレート４３２０の物体側方向の表面であり、Ｓ３２は、液体レンズ内の第２液体４３５０の物体側方向の表面であり、Ｓ３３は、第１液体４３４０と第２液体４３５０との界面であり、Ｓ３４は、第１液体の像側方向の表面であり、Ｓ３５は第３プレート４３３０の像側方向の表面である。
【０２６６】
本実施例においてＥＦＬ（有効焦点距離）は３．９５ｍｍであってよい。そして、ｆ１／Ｆは式１の範囲を満たし、詳しくは、１．０４より大きく１．１０５より小さくてよい。また、ＴＴＬ／Ｆは式２の範囲を満たし、詳しくは、１．３８より大きく１．４６より小さくてよい。
【０２６７】
表２は、第１レンズ４１１０の厚さが０．４９ｍｍであり、第１レンズ４１１０から絞り（図示せず）までの距離が０．０１ｍｍであり、絞りの厚さが０．０１ｍｍであり、第２レンズ４１２０の厚さが０．２０ｍｍであり、第２レンズ４１２０から液体レンズ４３００までの距離が０．２４ｍｍであり、液体レンズ４３００内で第２プレート４３２０の厚さが０．１ｍｍであり、第２液体４３５０の光軸での厚さが０．２９５ｍｍであり、第１液体４３４０の光軸での厚さが０．３６７ｍｍであり、第３プレート４３３０の厚さが０．６２ｍｍであり、液体レンズ４３００と第４レンズ４４１０との距離が０．６２ｍｍであり、第４レンズ４４１０の厚さが０．３４４ｍｍであり、第４レンズ４４１０から第５レンズ４４２０までの距離が０．２８９ｍｍであり、第５レンズ４４２０の厚さが０．５６９ｍｍであり、第５レンズ４４２０から第６レンズ４４３０までの距離が０．４２９ｍｍであり、第６レンズ４４３０の厚さが０．３８１ｍｍであり、第６レンズ４４３０からフィルター４４５０までの距離が０．３ｍｍであり、フィルター４４５０の厚さが０．２１ｍｍであり、フィルター４４５０から受光素子４４８０までの距離が０．２３６ｍｍであることを表す。
【０２６８】
第１レンズ４１１０の第２面Ｓ１２は、曲率半径は無限大（Ｉｎｆｉｎｉｔｙ）であって平面を示すが、実際に非球面形状を含み得る。
【０２６９】
【表２】
2019532331.tif 000004
【０２７０】
表２は、液体レンズ内の導電性液体と非導電性液体との界面がフラットな場合であり、仮に上記の界面がイメージセンサーの方向に膨らんでいる場合に、表２のレンズアセンブリ４０００をなす各レンズの光学的特性が一部変わる。すなわち、表２がレンズアセンブリ４０００から無限大の距離に物体が配置されたと仮定した場合であり、以下は、物体がレンズアセンブリ４０００から１００ｍｍの距離に配置された場合の数値である。
【０２７１】
例えば、第１液体４３４０と第２液体４３５０との界面Ｓ３３の曲率半径が−６．９ｍｍであり、Ｓ３２とＳ３３の距離が０．３５５ｍｍであり、Ｓ３３とＳ３４の距離が０．３０７ｍｍであってよい。このとき、有効焦点距離（ＥＦＬ）は３．１６ｍｍであって、第１及び第２液体の界面がフラットな場合と異なり得る。そして、絶縁層４３６０の厚さは数マイクロメートル（μｍ）程度であってよい。
【０２７２】
表３は、レンズアセンブリ４０００の他の実施例をなす各レンズの光学的特性を表す。表３は、液体レンズ内で導電性液体と非導電性液体との界面がフラット（ｆｌａｔ）な場合である。
【０２７３】
本実施例でＥＦＬ（有効焦点距離）は３．７８ｍｍであってよい。そして、ｆ１／Ｆは式１の範囲を満たし、詳細には、０．８２より大きく０．８９より小さくてよい。また、ＴＴＬ／Ｆは式２の範囲を満たし、詳細には、１．２１より大きく１．３０より小さくてよい。
【０２７４】
【表３】
2019532331.tif 000005
【０２７５】
表３は、液体レンズ内の導電性液体と非導電性液体との界面がフラットな場合であり、仮に前記の界面がイメージセンサー方向に膨らんでいる場合に、表３のレンズアセンブリ４０００をなす各レンズの光学的特性が一部変わる。すなわち、表３がレンズアセンブリ４０００から無限大の距離に物体が配置されたと仮定した場合であり、以下は物体がレンズアセンブリ４０００から１００ｍｍの距離に配置された場合の数値である。
【０２７６】
例えば、第１液体４３４０と第２液体４３５０との界面Ｓ３３の曲率半径が−５．７５ｍｍであり、Ｓ３２とＳ３３の距離が０．３５５ｍｍであり、Ｓ３３とＳ３４の距離が０．３０７ｍｍであってよい。このとき、有効焦点距離（ＥＦＬ）は３．５４ｍｍであって、第１及び第２液体との界面がフラットな場合と異なり得る。
【０２７７】
表４は、レンズアセンブリ４０００の更に他の実施例をなす各レンズの光学的特性を表す。表４は、液体レンズ内で導電性液体と非導電性液体との界面がフラット（ｆｌａｔ）な場合である。
【０２７８】
本実施例においてＥＦＬ（有効焦点距離）は３．９５ｍｍであってよい。そして、ｆ１／Ｆは式１の範囲を満たし、詳細には、０．８より大きく０．８６より小さくてよい。また、ＴＴＬ／Ｆは式２の範囲を満たし、詳細には、１．２１より大きく１．３０より小さくてよい。
【０２７９】
【表４】
2019532331.tif 000006
【０２８０】
表４は、液体レンズ内の導電性液体と非導電性液体との界面がフラットな場合であり、仮に前記の界面がイメージセンサー方向に膨らんでいる場合に、表４のレンズアセンブリ４０００をなす各レンズの光学的特性が一部変わる。すなわち、表４がレンズアセンブリ４０００から無限大の距離に物体が配置されたと仮定した場合であり、以下は物体がレンズアセンブリ４０００から１００ｍｍの距離に配置された場合の数値である。
【０２８１】
例えば、第１液体４３４０と第２液体４３５０との界面Ｓ３３の曲率半径が−６．１５ｍｍであり、Ｓ３２とＳ３３の距離が０．２２１ｍｍであり、Ｓ３３とＳ３４の距離が０．２２９ｍｍであってよい。このとき、有効焦点距離（ＥＦＬ）は３．６９ｍｍであって、第１及び第２液体の界面がフラットな場合と異なり得る。
【０２８２】
表５は、液体レンズモジュールにおいて物体との距離による焦点距離の変化などを表すものであり、図４は、図１のカメラモジュールの焦点距離と物体との距離との関係を示す図であり、図５は、図１のカメラモジュール内の液体レンズの焦点距離とジオプターとの関係を示す図である。
【０２８３】
【表５】
2019532331.tif 000007
【０２８４】
物体との距離は、第１レンズの前面Ｓ１１から物体との最短距離であり、曲率（ｒａｄｉｕｓ）は、液体レンズ内の第１及び第２液体間の界面の曲率であり、ジオプターと焦点距離は、液体レンズのジオプターと焦点距離であってよい。
【０２８５】
実施例に係る液体レンズを有するレンズアセンブリは、第１レンズの前面Ｓ１１から第６レンズの後面Ｓ６２までの距離が固定され、内部の液体レンズの焦点距離とジオプターなどが可変するので、レンズアセンブリ内のレンズを移動させなくてもＡＦが可能である。
【０２８６】
上述した撮像レンズが含まれたカメラモジュールは、デジタルカメラ、スマートフォン、ノートパソコン及びタブレット（ｔａｂｌｅｔ）ＰＣなどの様々なデジタル機器（ｄｉｇｉｔａｌ  ｄｅｖｉｃｅ）に内蔵され、特に、モバイル機器に内蔵されて高性能、超薄型のズームレンズを具現することができる。
【０２８７】
図３４は、５つの比較例において中心フィールド（０．０Ｆ）と周辺フィールド（０．８Ｆ）でのＭＴＦを示す図であり、表６は、５つの比較例においてチルティング角度の変化と第１及び第２レンズ部のパワー（屈折力）分布を表す。
【０２８８】
【表６】
2019532331.tif 000008
【０２８９】
図３４及び表６から、第１及び第２レンズ部のパワー分布が類似しているほど、液体レンズ内の界面のチルティングによるＭＴＦ低下が小さくなり、また第２レンズ部のパワーが大きくなるほど（すなわち、焦点距離が短くなるほど）、液体レンズ内の界面のチルティング角度が小さくなり得る。
【０２９０】
このとき、第２レンズ部の焦点距離は第１レンズ部の焦点距離の１．４倍より大きく、３．２５倍より小さくてよい。
【０２９１】
表７は、レンズアセンブリ４０００の上記の比較例１をなす各レンズの光学的特性を表す。
【０２９２】
表７は、液体レンズ内で導電性液体と非導電性液体との界面がフラット（ｆｌａｔ）な場合である。
【０２９３】
ここで、Ｓ３１は、液体レンズの第２プレート４３２０の物体側方向の表面であり、Ｓ３２は、液体レンズの第３プレート４３３０の像側方向の表面である。
【０２９４】
表２は、第１レンズ４１１０の厚さが０．６２ｍｍであり、第１レンズ４１１０から絞り（図示せず）までの距離が０．０３ｍｍであり、絞りの厚さが０．０１ｍｍであり、第２レンズ４１２０の厚さが０．２２ｍｍであり、第２レンズ４１２０から液体レンズ４３００までの距離が０．２７ｍｍであり、液体レンズ４３００の厚さが０．７８ｍｍであり、液体レンズ４３００と第３レンズ４４１０の距離が０．１０ｍｍであり、第３レンズ４４１０の厚さが０．３９ｍｍであり、第３レンズ４４１０から第４レンズ４４２０までの距離が０．２４ｍｍであり、第４レンズ４４２０の厚さが０．５８ｍｍであり、第４レンズ４４２０から第５レンズ４４３０までの距離が０．４７ｍｍであり、第５レンズ４４３０の厚さが０．３６ｍｍであり、第５レンズ４４３０からフィルター４４５０までの距離が０．０８ｍｍであり、フィルター４４５０の厚さが０．１１ｍｍであり、フィルター４４５０から受光素子４４８０までの距離が０．４９ｍｍであることを表す。
【０２９５】
第１レンズ４１１０の第２面Ｓ１２は曲率半径は無限大（Ｉｎｆｉｎｉｔｙ）であって、平面を示すが、実際に非球面形状を含み得る。そして、第１レンズ〜第５レンズ４１１０〜４４３０はプラスチックからなり得る。
【０２９６】
【表７】
2019532331.tif 000009
【０２９７】
表８は、レンズアセンブリ４０００の上記の比較例２をなす各レンズの光学的特性を表す。表８は、液体レンズ内で導電性液体と非導電性液体との界面がフラット（ｆｌａｔ）な場合である。
【０２９８】
表８は、第１レンズ４１１０の厚さが０．４７ｍｍであり、第１レンズ４１１０から絞り（図示せず）までの距離が０．０１ｍｍであり、絞りの厚さが０．０１ｍｍであり、第２レンズ４１２０の厚さが０．２２ｍｍであり、第２レンズ４１２０から液体レンズ４３００までの距離が０．２０ｍｍであり、液体レンズ４３００の厚さが０．７８ｍｍであり、液体レンズ４３００と第３レンズ４４１０の距離が０．０９ｍｍであり、第３レンズ４４１０の厚さが０．４９ｍｍであり、第３レンズ４４１０から第４レンズ４４２０までの距離が０．１６ｍｍであり、第４レンズ４４２０の厚さが０．５３ｍｍであり、第４レンズ４４２０から第５レンズ４４３０までの距離が０．７２ｍｍであり、第５レンズ４４３０の厚さが０．３８ｍｍであり、第５レンズ４４３０からフィルター４４５０までの距離が０．０８ｍｍであり、フィルター４４５０の厚さが０．１１ｍｍであり、フィルター４４５０から受光素子４４８０までの距離が０．４９ｍｍであることを表す。
【０２９９】
第１レンズ４１１０の第２面Ｓ１２は、曲率半径は無限大（Ｉｎｆｉｎｉｔｙ）であって、平面を示すが、実際に非球面形状を含み得る。そして、第１レンズ〜第５レンズ４１１０〜４４３０はプラスチックからなり得る。
【０３００】
【表８】
2019532331.tif 000010
【０３０１】
表９は、レンズアセンブリ４０００の上記の比較例３をなす各レンズの光学的特性を表す。表９は、液体レンズ内で導電性液体と非導電性液体との界面がフラット（ｆｌａｔ）な場合である。
【０３０２】
表９は、第１レンズ４１１０の厚さが０．４８ｍｍであり、第１レンズ４１１０から絞り（図示せず）までの距離が０．１１ｍｍであり、絞りの厚さが０．０４ｍｍであり、第２レンズ４１２０の厚さが０．２１ｍｍであり、第２レンズ４１２０から液体レンズ４３００までの距離が０．１５ｍｍであり、液体レンズ４３００の厚さが０．７８ｍｍであり、液体レンズ４３００と第３レンズ４４１０の距離が０．１３ｍｍであり、第３レンズ４４１０の厚さが０．５９ｍｍであり、第３レンズ４４１０から第４レンズ４４２０までの距離が０．１７ｍｍであり、第４レンズ４４２０の厚さが０．５２ｍｍであり、第４レンズ４４２０から第５レンズ４４３０までの距離が０．５９ｍｍであり、第５レンズ４４３０の厚さが０．３９ｍｍであり、第５レンズ４４３０からフィルター４４５０までの距離が０．０８ｍｍであり、フィルター４４５０の厚さが０．１１ｍｍであり、フィルター４４５０から受光素子４４８０までの距離が０．４９ｍｍであることを表す。
【０３０３】
第１レンズ４１１０の第２面Ｓ１２は、曲率半径は無限大（Ｉｎｆｉｎｉｔｙ）であって、平面を示すか、実際に非球面形状を含み得る。そして、第１レンズ〜第５レンズ４１１０〜４４３０はプラスチックからなり得る。
【０３０４】
【表９】
2019532331.tif 000011
【０３０５】
本実施例に係るレンズアセンブリにおいて液体レンズ４３００を用いたＯＩＳ具現時に、液体レンズ内の第１及び第２液体との界面のチルティング（ｔｉｌｔｉｎｇ）角度を調節してＯＩＳを具現でき、この時、ＯＩＳ補償角度によって中心フィールドと周辺フィールド、例えば０．０Ｆと０．８ＦでＭＴＦ（Ｍｏｄｕｌａｔｉｏｎ  Ｔｒａｎｓｆｅｒ  Ｆｕｎｃｔｉｏｎ；解像度）低下が発生することがある。したがって、液体レンズのＯＩＳ具現においてＭＴＦ低下が相対的に小さいレンズアセンブリを使用しようとする。
【０３０６】
第１レンズ４１１０は正の屈折力を有し、第２レンズ４１２０は負の屈折力を有し、液体レンズ４３００は電圧印加によって焦点距離が変わり、第３レンズ４４１０は正の屈折力又は負の屈折力を有し、物体側方向の第１面Ｓ４１が凸であり、第４レンズ４４２０は正の屈折力を有し、第５レンズ４４３０は負の屈折力を有することができる。
【０３０７】
本実施例において、チルティング角度は６．４８°であり、第１及び第２レンズ部のパワー分布はそれぞれ７．８０と５．８７であり、全体レンズアセンブリのパワー分布は３．３４であり、第１レンズ部のパワーに対する第２レンズ部のパワーは約０．７５である。
【０３０８】
レンズアセンブリは下記の式１を満たすことができる。
【０３０９】
＜式１＞
０．５＜ｆ１Ｇ／Ｆ＜０．６５
【０３１０】
ここで、ｆ１Ｇは第１レンズ部の有効焦点距離であり、Ｆは光学系、すなわちレンズアセンブリ全体の有効焦点距離である。
【０３１１】
レンズアセンブリは下記の式２を満たすことができる。
【０３１２】
＜式２＞
０．７＜ＴＴＬ／Ｆ＜０．９
【０３１３】
ここで、ＴＴＬは第１レンズの物体側方向の第１面から像（ｉｍａｇｅ）までの距離である。
【０３１４】
レンズアセンブリは下記の式３を満たすことができる。
【０３１５】
＜式３＞
０．３＜Ｔａ／ｆ２Ｇ＜１．１
【０３１６】
ここで、Ｔａは液体レンズ内の第１液体と第２液体との界面のチルティング（ｔｉｌｔｉｎｇ）角度であり、ｆ２Ｇは前記第２レンズ部の有効焦点距離である。
【０３１７】
レンズアセンブリは下記の式４を満たすことができる。
【０３１８】
＜式４＞
│ｆ１│＜│ｆ４│＜│ｆ５│
【０３１９】
ここで、│ｆ１│は第１レンズの焦点距離の絶対値であり、│ｆ４│は第４レンズの焦点距離の絶対値であり、│ｆ５│は第５レンズの焦点距離の絶対値である。
【０３２０】
そして、第１レンズ部４１００の像側方向の第２面Ｓ２２から第２レンズ部４４００の物体側方向の第１面Ｓ４１までの距離Ｄは一定であり得る。
【０３２１】
表１０は、実施例に係るレンズアセンブリ４０００をなす各レンズの光学的特性を表す。表１０は、液体レンズ内で導電性液体と非導電性液体の界面がフラット（ｆｌａｔ）な場合である。
【０３２２】
表１０は、第１レンズ４１１０の厚さが０．４４ｍｍであり、第１レンズ４１１０から絞り（図示せず）までの距離が０．０２ｍｍであり、絞りの厚さが０．０１ｍｍであり、第２レンズ４１２０の厚さが０．２１ｍｍであり、第２レンズ４１２０から液体レンズ４３００までの距離が０．１７ｍｍであり、液体レンズ４３００の厚さが０．７８ｍｍであり、液体レンズ４３００と第３レンズ４４１０の距離が０．１３ｍｍであり、第３レンズ４４１０の厚さが０．５５ｍｍであり、第３レンズ４４１０から第４レンズ４４２０までの距離が０．１４ｍｍであり、第４レンズ４４２０の厚さが０．５６ｍｍであり、第４レンズ４４２０から第５レンズ４４３０までの距離が０．７５ｍｍであり、第５レンズ４４３０の厚さが０．３６ｍｍであり、第５レンズ４４３０からフィルター４４５０までの距離が０．１６ｍｍであり、フィルター４４５０の厚さが０．１１ｍｍであり、フィルター４４５０から受光素子４４８０までの距離が０．４６ｍｍであることを表す。
【０３２３】
第１レンズ４１１０の第２面Ｓ１２は、曲率半径は無限大（Ｉｎｆｉｎｉｔｙ）であって、平面を示すが、実際に非球面形状を含み得る。そして、第１レンズ〜第５レンズ４１１０〜４４３０はプラスチックからなり得る。
【０３２４】
【表１０】
2019532331.tif 000012
【０３２５】
図３５は、比較例２において受光素子に結ばれる像（ｉｍａｇｅ）を示すが、上下において光が一点に収束しない。これは、液体レンズを用いてＯＩＳを具現することから、界面のチルティングによって上下のフィールドで領域間の光路長（ｏｐｔｉｃａｌ  ｐａｔｈ  ｌｅｎｇｔｈ）の差による解像力低下が発生するためである。
【０３２６】
図３６は、実施例において受光素子に結ばれる像を示すが、上下においてそれぞれ光が一点に収束している。これは、上下側のフィールド（ｆｉｅｌｄ）を全て考慮して最適化し、表５などの実施例のようにレンズアセンブリを設計し、２群のパワーが相対的に強くなるためである。
【０３２７】
図３７は、５つの比較例と第５実施例において中心フィールド（０．０Ｆ）と周辺フィールド（＋０．８Ｆ，−０．８Ｆ）でのＭＴＦを示す図である。図示のように、実施例（ｃａｓｅ  ６）によるレンズアセンブリを使用した場合、中心フィールドと周辺フィールドでＭＴＦ差が少ないことが分かる。
【０３２８】
実施例に係る液体レンズを有するレンズアセンブリは、第１レンズの前面Ｓ１１から第５レンズの後面Ｓ６２までの距離が固定され、内部の液体レンズの焦点距離とジオプターなどが可変するので、レンズアセンブリ内のレンズを移動させなくてもＡＦが可能である。
【０３２９】
上述した撮像レンズが含まれたカメラモジュールは、デジタルカメラ、スマートフォン、ノートパソコン及びタブレット（ｔａｂｌｅｔ）ＰＣなどの様々なデジタル機器（ｄｉｇｉｔａｌ  ｄｅｖｉｃｅ）に内蔵され、特に、モバイル機器に内蔵されて高性能、超薄型のズームレンズを具現することができる。
【０３３０】
以上、実施例を中心に説明してきたが、これは単なる例示で、本発明を限定するものでなく、本発明の属する分野における通常の知識を有する者であれば、本実施例の本質的な特性から逸脱しない範囲で以上に例示されていない様々なの変形及び応用が可能であることが分かる。例えば、実施例に具体的に表された各構成要素は変形して実施できるものである。そして、このような変形及び応用に関係する差異点は、添付する請求範囲で規定する本発明の範囲に含まれるものとして解釈すべきである。
【実施例】
【０３３１】
発明の実施例は、前述した「発明を実施するたの形態」で十分に説明された。
【産業上の利用可能性】
【０３３２】
実施例に係る液体レンズを含むカメラモジュールは、スマートフォンやデジタルカメラなどの光学機器に利用することができる。
【図１】
2019532331.tif 000013
【図２】
2019532331.tif 000014
【図３】
2019532331.tif 000015
【図４】
2019532331.tif 000016
【図５】
2019532331.tif 000017
【図６】
2019532331.tif 000018
【図７】
2019532331.tif 000019
【図８】
2019532331.tif 000020
【図９Ａ】
2019532331.tif 000021
【図９Ｂ】
2019532331.tif 000022
【図９Ｃ】
2019532331.tif 000023
【図９Ｄ】
2019532331.tif 000024
【図９Ｅ】
2019532331.tif 000025
【図９Ｆ】
2019532331.tif 000026
【図９Ｇ】
2019532331.tif 000027
【図９Ｈ】
2019532331.tif 000028
【図９Ｉ】
2019532331.tif 000029
【図９Ｊ】
2019532331.tif 000030
【図９Ｋ】
2019532331.tif 000031
【図９Ｌ】
2019532331.tif 000032
【図１０】
2019532331.tif 000033
【図１１Ａ】
2019532331.tif 000034
【図１１Ｂ】
2019532331.tif 000035
【図１１Ｃ】
2019532331.tif 000036
【図１２】
2019532331.tif 000037
【図１３】
2019532331.tif 000038
【図１４】
2019532331.tif 000039
【図１５】
2019532331.tif 000040
【図１６】
2019532331.tif 000041
【図１７】
2019532331.tif 000042
【図１８】
2019532331.tif 000043
【図１９】
2019532331.tif 000044
【図２０】
2019532331.tif 000045
【図２１】
2019532331.tif 000046
【図２２】
2019532331.tif 000047
【図２３】
2019532331.tif 000048
【図２４】
2019532331.tif 000049
【図２５】
2019532331.tif 000050
【図２６】
2019532331.tif 000051
【図２７】
2019532331.tif 000052
【図２８】
2019532331.tif 000053
【図２９】
2019532331.tif 000054
【図３０Ａ】
2019532331.tif 000055
【図３０Ｂ】
2019532331.tif 000056
【図３１】
2019532331.tif 000057
【図３２】
2019532331.tif 000058
【図３３】
2019532331.tif 000059
【図３４】
2019532331.tif 000060
【図３５】
2019532331.tif 000061
【図３６】
2019532331.tif 000062
【図３７】
2019532331.tif 000063
【手続補正書】
【提出日】令和1年5月7日(2019.5.7)
【手続補正１】
【補正対象書類名】明細書
【補正対象項目名】００２７
【補正方法】変更
【補正の内容】
【００２７】
本体は光学機器の外観を形成することができる。本体は一例として直方体の形状を有することができる。ただし、これに制限されるものではない。変形例として本体は、少なくとも一部を丸くした形状を有してもよい。本体はカメラモジュール１０００を収容することができる。本体の一面にはディスプレイ部が配置され得る。
【手続補正２】
【補正対象書類名】明細書
【補正対象項目名】００３５
【補正方法】変更
【補正の内容】
【００３５】
カバー部材１００は上板１２０と複数の側板１３０を有することができる。カバー部材１００は、上板１２０と、上板１２０の外側から下側に延長される複数の側板１３０を有することができる。カバー部材１００はレンズホルダー２００の外側面に位置し得る。カバー部材１００はレンズホルダー２００の外側面と接して位置し得る。カバー部材１００の複数の側板１３０の下端はレンズホルダー２００に装着され得る。カバー部材１００の複数の側板１３０の下端は、レンズホルダー２００の下部の段差部２５０に装着され得る。
【手続補正３】
【補正対象書類名】明細書
【補正対象項目名】００４３
【補正方法】変更
【補正の内容】
【００４３】
第２透過窓２１１はコア２１０の最上側に位置し得る。第２透過窓２１１は円形であってよい。第２透過窓２１１と上側方向に離隔して第１透過窓１１０が位置し得る。第２透過窓２１１の下側には第１レンズ収容孔２２０が位置し得る。第２透過窓２１１と第１レンズ収容孔２２０とが上下方向に連通し得る。第２透過窓２１１は第１レンズ収容孔２２０と一体に形成され得る。すなわち、第２透過窓２１１は第１レンズ収容孔２２０の一部であってよい。この場合、第２透過窓２１１から第１レンズ部３００の最上側レンズが突出し得る。
【手続補正４】
【補正対象書類名】明細書
【補正対象項目名】００５１
【補正方法】変更
【補正の内容】
【００５１】
液体レンズ４００は導電性液体と非導電性液体との界面の曲率を制御してＡＦ機能とＯＩＳ機能を行うレンズである。導電性液体及び非導電性液体が収容され、電極と絶縁体が積層してコートされたキャビティ（ｃａｖｉｔｙ）に電圧を印加すれば、印加された電圧の強度によって導電性液体と絶縁体でコートされたキャビティの内側面との接触角が変化する電気湿潤（ｅｌｅｃｔｒｏｗｅｔｔｉｎｇ）現象が発生する。図１を参照して、電気湿潤（ｅｌｅｃｔｒｏ  ｗｅｔｔｉｎｇ）現象をより詳細に説明する。電気的に絶縁された絶縁膜１４の上面に導電性液滴４０を落とすと、それは、図１に実線で示す球形をなす。絶縁膜１４の下の第１電極１３と導電性液滴４０との間の第２電極１５に電圧を印加すれば、図１に点線で示すように導電性液滴４０と絶縁膜１４の上面との接触角が変化する電気湿潤現象が起きる。なお、電圧が印加される位置を変更すると、電気湿潤現象が発生する位置が変更される。上述した電気湿潤現象によって、液体レンズ４００では導電性液体と非導電性液体との界面の曲率が変化し、このような曲率の変化を制御してＡＦ機能及びＯＩＳ機能を行うことができる。
【手続補正５】
【補正対象書類名】明細書
【補正対象項目名】００６６
【補正方法】変更
【補正の内容】
【００６６】
コアプレート４３０は上部プレート４２０の下部に位置し得る。コアプレート４３０は上部プレート４２０と接し得る。コアプレート４３０は下部プレート４４０の上部に位置し得る。コアプレート４３０は下部プレート４４０と接し得る。コアプレート４３０の中央にはキャビティ４３１が形成され得る。キャビティ４３１には第１液体Ｌ１と第２液体Ｌ２が収容され得る。コアプレート４３０にはコアプレート４３０の中央を貫通するキャビティ４３１が形成され得る。コアプレート４３０の表面及びキャビティ４３１の内側面には電極部ａがコートされ得る。コアプレート４３０の上部には上部電極部が配置され得る。上部電極部は互いに区分された第１〜第４電極部ａ１，ａ２，ａ３，ａ４を有することができる。キャビティ４３１の内壁とキャビティ４３１の内壁からコアプレート４３０の上部及びコアプレート４３０の下部に延長された内壁電極部が配置され得る。内壁電極部は互いに区分された第５〜第８電極部ａ５，ａ６，ａ７，ａ８を有することができる。上部電極部と内壁電極部はコアプレート４３０の上部（上面）で断絶され得る。キャビティ４３１の内壁の電極部ａに絶縁層ｂがコートされ得る。また、コアプレート４３０の上面でキャビティ４３１の周辺の電極部ａに絶縁層ｂがコートされ得る。コアプレート４３０は上部基板４１０と電気的に連結され得る。コアプレート４３０は下部基板４５０と電気的に連結され得る。
【手続補正６】
【補正対象書類名】明細書
【補正対象項目名】００８２
【補正方法】変更
【補正の内容】
【００８２】
下部回路基板４５０ａには時計回り方向に、第１下部角４５１、第２下部角４５２、第３下部角４５３及び第４下部角４５４が位置し得る。下部回路基板４５０ａの第１〜第４下部角４５１，４５２，４５３，４５４はコアプレート４３０の角よりも内側に位置し得る。すなわち、下部基板４５０の角はコアプレート４３０の角から内側に入って位置し得る。液体レンズ４００の挿入時に第１〜第４下部角４５１，４５２，４５３，４５４と第３レンズ収容孔２４０の下側内壁及び側壁との摩擦を最小化するためである。その結果、第１〜第４下部角４５１，４５２，４５３，４５４とコアプレート４３０との接着が離れて下部回路基板４５０ａが剥離する現象を防止することができる。
【手続補正７】
【補正対象書類名】明細書
【補正対象項目名】００８７
【補正方法】変更
【補正の内容】
【００８７】
図９Ａの液体レンズ４００は、上部プレート４２０に上部溝４２５が形成されており、下部プレート４４０に下部溝４４５が形成されている。電極部ａは、キャビティ４３１の内壁とコアプレート４３０の上面及び下面に配置されている。上部電極部ａ１，ａ２，ａ３，ａ４はコアプレート４３０の上面に配置され、コアプレート４３０の上面のキャビティ４３１の周りで断絶され得る。内壁電極部ａ５，ａ６，ａ７，ａ８は、コアプレート４３０の上面のキャビティ４３１の周り、キャビティ４３１の内壁及びコアプレート４３０の下面に配置され、コアプレート４３０の上面のキャビティ４３１の周りで断絶され得る。すなわち、上部電極部ａ１，ａ２，ａ３，ａ４と内壁電極部ａ５，ａ６，ａ７，ａ８とがコアプレート４３０の上面で断絶されて、互いに連結されなくて済む。絶縁層ｂはコアプレート４３０のキャビティ４３１の周りに沿って電極部ａに配置され得る。この場合、絶縁層ｂは上部電極部ａ１，ａ２，ａ３，ａ４と内壁電極部ａ５，ａ６，ａ７，ａ８とが断絶された部分を経て配置され得る。また、下部溝４４５の上面に配置され得る。その結果、絶縁層ｂは、下面が下部溝４４５に配置され、下面からキャビティ４３１の内壁に沿って延長されて内壁電極部ａ５，ａ６，ａ７，ａ８に配置され、キャビティ４３１の内壁からコアプレート４３０の上面に沿って内壁電極部ａ５，ａ６，ａ７，ａ８を経て上部電極部ａ１，ａ２，ａ３，ａ４に位置し得る。第２液体Ｌ２はキャビティ４３１の下部に配置されて、絶縁層ｂの下部に収容され得る。第１液体Ｌ１はキャビティ４３１の上部に配置されて、絶縁層ｂの上部及び上部溝４２５に収容され得る。この場合、第２液体Ｌ２は上部電極部ａ１，ａ２，ａ３，ａ４と接し得る。
【手続補正８】
【補正対象書類名】明細書
【補正対象項目名】００９４
【補正方法】変更
【補正の内容】
【００９４】
図９Ｇには図９Ａの液体レンズを類推適用することができる。ただし、図９ｇの液体レンズには上部溝４２５が形成されていない。その代わりに、上部プレート４２０とコアプレート４３０とが第１接着部材４２７及び第２接着部材４２６によって結合され得る。すなわち、上部プレート４２０とコアプレート４３０とが第１接着部材４２７及び第２接着部材４２６によって離隔され、第２液体Ｌ２は離隔空間に満たされて上部電極ａ１，ａ２，ａ３，ａ４と接し得る。この場合、第１接着部材４２７及び第２接着部材４２６は非導電性物質であってよい。図９Ｈの液体レンズは、図９Ｂの液体レンズにおいて上部溝４２５の代わりに第１，２接着部材４２７，４２６が配置される場合であり、図９Ｉの液体レンズは、図９Ｃの液体レンズにおいて上部溝４２５の代わりに第１，２接着部材４２７，４２６が配置される場合であり、図９Ｊの液体レンズは、図９Ｄの液体レンズにおいて上部溝４２５の代わりに第１，２接着部材４２７，４２６が配置される場合であり、図９Ｋの液体レンズは、図９Ｅの液体レンズにおいて上部溝４２５の代わりに第１，２接着部材４２７，４２６が配置される場合であり、図９Ｌの液体レンズは、図９Ｆの液体レンズにおいて上部溝４２５の代わりに第１，２接着部材４２７，４２６が配置される場合である。
【手続補正９】
【補正対象書類名】明細書
【補正対象項目名】００９６
【補正方法】変更
【補正の内容】
【００９６】
第２レンズ部５００は１つ以上のレンズを有することができる。第２レンズ部５００は３つのレンズを有することができる。第２レンズ部５００の複数レンズは積層形態で位置し得る。第２レンズ部５００は第３レンズ収容孔２４０に収容され得る。第２レンズ部５００のレンズは、レンズの上部は第３レンズ収容孔２４０の突段部やＯリングに接し、下部は下部レンズやＯリングに支持されて固定され得る。第２レンズ部５００の最上側レンズの上部は液体レンズ４００の下部プレート４４０の下面に接して固定され得る。
【手続補正１０】
【補正対象書類名】明細書
【補正対象項目名】０１３７
【補正方法】変更
【補正の内容】
【０１３７】
ホルダー２０１８Ｃ，２０１８Ｄ，２０１８Ｅ，２０１８Ｆの上部には、液体レンズ２０２８と基板とが連結される接合領域を露出させる少なくとも２個のオープニング（ｏｐｅｎｉｎｇ）が配置され得る。このとき、２個のオープニングは液体レンズモジュールのレンズ領域の中心を基準に相互反対の側に配置され得る。
【手続補正１１】
【補正対象書類名】明細書
【補正対象項目名】０１４６
【補正方法】変更
【補正の内容】
【０１４６】
液体レンズモジュール２０１４は、２つの液体が形成する界面を含む液体レンズ２０２８、液体レンズ２０２８を取り囲むスぺーサ２０３６、及び液体レンズ２０２８に駆動電圧を供給するための少なくとも一つの基板２０４２を備えることができる。基板２０４２はセンサー基板２０６４と液体レンズ２０２８とを連結することができる。基板２０４２は、区別される複数の駆動電圧を供給でき、それぞれの駆動電圧は複数の端子２０４８を通じて伝達され得る。
【手続補正１２】
【補正対象書類名】明細書
【補正対象項目名】０２０３
【補正方法】変更
【補正の内容】
【０２０３】
制御回路４９２０は液体レンズに駆動電圧を供給することができる。カメラモジュールはコネクター４９３０をさらに備えることができ、コネクター４９３０は制御回路４９２０を外部の電源やその他の装置と電気的に連結させることができる。コネクター４９３０は制御回路４９２０と連結部４９５０によって電気的に連結され得る。
【手続補正１３】
【補正対象書類名】明細書
【補正対象項目名】０２０８
【補正方法】変更
【補正の内容】
【０２０８】
第１レンズ部４１００、第２レンズ部４４００及び液体レンズ４３００は、ホルダー４５００の内部に形成された貫通ホールに装着され得る。そして、第１及び第２レンズ部４１００，４４００を液体レンズ４３００と区別するために第１及び第２固体レンズ部又は第１及び第２光学レンズ部といってもよく、ガラス系又はプラスチック系の材料で構成することができる。
【手続補正１４】
【補正対象書類名】明細書
【補正対象項目名】０２４４
【補正方法】変更
【補正の内容】
【０２４４】
‘Ｓ４０１１’は第１レンズ４１１０の物体側面、‘Ｓ４０１２’は第１レンズ４１１０の像側面、‘Ｓ４０２１’は第２レンズ４１２０の物体側面、‘Ｓ４０２２’は第２レンズ４１２０の像側面、‘Ｓ４０３１’は第３レンズ４３００の物体側面、‘Ｓ４０３２’は第３レンズ４３００の像側面、‘Ｓ４０４１’は第４レンズ４４１０の物体側面、‘Ｓ４０４２’は第４レンズ４４１０の像側面、‘Ｓ４０５１’は第５レンズ４４２０の物体側面、‘Ｓ４０５２’は第５レンズ４４２０の像側面、‘Ｓ４０６１’は第６レンズ４４３０の物体側面、‘Ｓ４０６２’は第６レンズ４４３０の像側面であってよい。第３レンズ４３００が絞り（ｓｔｏｐ）として作用してもよく、又は別の絞りが、例えば第１レンズ４１１０の前面に配置されたり、第１レンズ４１１０と第２レンズ４１２０との間に配置されてもよい。
【手続補正１５】
【補正対象書類名】明細書
【補正対象項目名】０２８２
【補正方法】変更
【補正の内容】
【０２８２】
表５は、液体レンズモジュールにおいて物体との距離による焦点距離の変化などを表すものであり、図３２は、図２９のカメラモジュールの焦点距離と物体との距離との関係を示す図であり、図３３は、図２９のカメラモジュール内の液体レンズの焦点距離とジオプターとの関係を示す図である。
【手続補正１６】
【補正対象書類名】明細書
【補正対象項目名】０２８８
【補正方法】変更
【補正の内容】
【０２８８】
【表６】
2019532331.tif 000064
【手続補正１７】
【補正対象書類名】明細書
【補正対象項目名】０２９４
【補正方法】変更
【補正の内容】
【０２９４】
表７は、第１レンズ４１１０の厚さが０．６２ｍｍであり、第１レンズ４１１０から絞り（図示せず）までの距離が０．０３ｍｍであり、絞りの厚さが０．０１ｍｍであり、第２レンズ４１２０の厚さが０．２２ｍｍであり、第２レンズ４１２０から液体レンズ４３００までの距離が０．２７ｍｍであり、液体レンズ４３００の厚さが０．７８ｍｍであり、液体レンズ４３００と第３レンズ４４１０の距離が０．１０ｍｍであり、第３レンズ４４１０の厚さが０．３９ｍｍであり、第３レンズ４４１０から第４レンズ４４２０までの距離が０．２４ｍｍであり、第４レンズ４４２０の厚さが０．５８ｍｍであり、第４レンズ４４２０から第５レンズ４４３０までの距離が０．４７ｍｍであり、第５レンズ４４３０の厚さが０．３６ｍｍであり、第５レンズ４４３０からフィルター４４５０までの距離が０．０８ｍｍであり、フィルター４４５０の厚さが０．１１ｍｍであり、フィルター４４５０から受光素子４４８０までの距離が０．４９ｍｍであることを表す。
【手続補正１８】
【補正対象書類名】明細書
【補正対象項目名】０３２４
【補正方法】変更
【補正の内容】
【０３２４】
【表１０】
2019532331.tif 000065
【手続補正１９】
【補正対象書類名】明細書
【補正対象項目名】０３２７
【補正方法】変更
【補正の内容】
【０３２７】
図３７は、５つの比較例と第５実施例において中心フィールド（０．０Ｆ）と周辺フィールド（＋０．８Ｆ，−０．８Ｆ）でのＭＴＦを示す図である。図示のように、実施例によるレンズアセンブリを使用した場合、中心フィールドと周辺フィールドでＭＴＦ差が少ないことが分かる。
【国際調査報告】
2019532331.tif 000066
2019532331.tif 000067
2019532331.tif 000068
2019532331.tif 000069